(57)【特許請求の範囲】
【請求項１】
送信装置と、データ放送番組を構成する複数の各要素データを放送する放送装置とから構成されるデータ放送番組制御システムであって、
前記送信装置と前記放送装置とは、互いに異なる放送局に備えられ、
複数の前記各要素データは、複数の部品データから構成され、
前記送信装置は、
複数の前記各要素データの中の特定の前記要素データにおける特定の部品データの変更処理の実行を前記放送装置に指示する制御情報を生成する制御情報生成手段と、
生成した制御情報を前記放送装置に1回以上送信する送信手段とを有し、
前記放送装置は、
前記制御情報を受信する受信手段と、
前記制御情報に従って、特定の前記要素データにおける特定の部品データの変更処理を実行する変更手段と、
前記変更処理が実行された特定の前記要素データを含むデータ放送番組を放送する放送手段と
を有し、
前記送信手段は、複数の各要素データから構成される前記データ放送番組を繰返し送信し、
前記受信手段は、前記送信手段から送信された前記データ放送番組を受信し、
前記変更手段は、前記制御情報に従って、受信された前記データ放送番組に含まれる特定の前記要素データにおける特定の部品データの変更処理を実行し、
前記制御情報は、複数の前記各要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記放送装置は、部品データ特定情報によって特定される部品データと差替えるための部品データである差替部品データを、前記部品データ特定情報と対応付けて記憶している記憶手段を有し、
前記変更手段は、
処理内容情報の示す変更処理内容を判定する処理内容判定手段と、
変更処理内容が差替である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
前記記憶手段から、前記部品データ特定情報に対応付けられている差替部品データを読出し、前記部品データ特定情報によって特定される要素データにおいて、削除した前記部品データを読出した差替部品データに差替えて出力する出力手段と
を有することを特徴とするデータ放送番組制御システム。
【請求項２】
前記データ放送番組制御システムは、複数の放送装置を含み、
前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第１項記載のデータ放送番組制御システム。
【請求項３】
送信装置と、データ放送番組を構成する複数の各要素データを放送する放送装置とから構成されるデータ放送番組制御システムであって、
前記送信装置と前記放送装置とは、互いに異なる放送局に備えられ、
複数の前記各要素データは、複数の部品データから構成され、
前記送信装置は、
複数の前記各要素データの中の特定の前記要素データにおける特定の部品データの変更処理の実行を前記放送装置に指示する制御情報を生成する制御情報生成手段と、
生成した制御情報を前記放送装置に1回以上送信する送信手段とを有し、
前記放送装置は、
前記制御情報を受信する受信手段と、
前記制御情報に従って、特定の前記要素データにおける特定の部品データの変更処理を実行する変更手段と、
前記変更処理が実行された特定の前記要素データを含むデータ放送番組を放送する放送手段と
を有し、
前記送信手段は、複数の各要素データから構成される前記データ放送番組を繰返し送信し、
前記受信手段は、前記送信手段から送信された前記データ放送番組を受信し、
前記変更手段は、前記制御情報に従って、受信された前記データ放送番組に含まれる特定の前記要素データにおける特定の部品データの変更処理を実行し、
前記制御情報は、複数の前記各要素データの中から変更処理対象となる要素データと、当該要素データを構成する部品データの中で変更処理対象となる部品データとを特定する部品データ特定情報と、変更処理の内容を示す処理内容情報と、変更処理の実行時期を示す時期情報と、部品データ特定情報によって特定される部品データと差替えるための部品データである差替部品データとを含み、
前記変更手段は、
前記処理内容情報の示す変更処理内容を判定する処理内容判定手段と、
変更処理内容が差替である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
前記制御情報に含まれる前記差替部品データを取得する差替部品データ取得手段と、
前記部品データ特定情報によって特定される要素データにおいて、削除した前記部品データを取得した前記差替部品データに差替えて出力する出力手段と
を有することを特徴とするデータ放送番組制御システム。
【請求項４】
前記データ放送番組制御システムは、複数の放送装置を含み、
前記制御情報はさらに、前記変更処理を実行する放送装置を特定する装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第３項記載のデータ放送番組制御システム。
【請求項５】
送信装置と、データ放送番組を構成する複数の各要素データを放送する放送装置とから構成されるデータ放送番組制御システムであって、
前記送信装置と前記放送装置とは、互いに異なる放送局に備えられ、
複数の前記各要素データは、複数の部品データから構成され、
前記送信装置は、
複数の前記各要素データの中の特定の前記要素データにおける特定の部品データの変更処理の実行を前記放送装置に指示する制御情報を生成する制御情報生成手段と、
生成した制御情報を前記放送装置に1回以上送信する送信手段とを有し、
前記放送装置は、
前記制御情報を受信する受信手段と、
前記制御情報に従って、特定の前記要素データにおける特定の部品データの変更処理を実行する変更手段と、
前記変更処理が実行された特定の前記要素データを含むデータ放送番組を放送する放送手段と
を有し、
前記送信手段は、複数の各要素データから構成される前記データ放送番組を繰返し送信し、
前記受信手段は、前記送信手段から送信された前記データ放送番組を受信し、
前記変更手段は、前記制御情報に従って、受信された前記データ放送番組に含まれる特定の前記要素データにおける特定の部品データの変更処理を実行し、
前記制御情報は、複数の前記各要素データの中から変更処理対象となる要素データを特定する要素データ特定情報と、変更処理内容を示す処理内容情報と、変更処理の実行時期を示す時期情報とを含み、
前記放送装置は、変更処理対象となる要素データに追加する部品データである追加用部品データを記憶している記憶手段を有し、
前記変更手段は、
前記処理内容情報の示す変更処理内容を判定する処理内容判定手段と、
変更処理内容が追加である場合に、前記時期情報の示す変更処理の実行時期が到来すると、前記要素データ特定情報によって特定される要素データを構成する複数の部品データを取得する取得手段と、
前記記憶手段から前記追加用部品データを読み出し、取得した前記複数の部品データに読出した前記追加用部品データを追加して出力する出力手段と
を有することを特徴とするデータ放送番組制御システム。
【請求項６】
前記記憶手段は、少なくとも１つ以上の追加用部品データを、それぞれ、当該追加用部品データを送出する送出時間帯と対応付けて記憶し、
前記出力手段は、前記時期情報の示す前記実行時期を範囲内に含む送出時間帯と対応付けられている追加用部品データを前記記憶手段から読出す
ことを特徴とする請求の範囲第５項記載のデータ放送番組制御システム。
【請求項７】
前記データ放送番組制御システムは、複数の放送装置を含み、
前記制御情報はさらに、前記変更処理を実行する放送装置を特定するための装置情報を含み、
前記変更手段はさらに、自己の放送装置が、自己の放送装置が前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第６項記載のデータ放送番組制御システム。
【請求項８】
送信装置と、データ放送番組を構成する複数の各要素データを放送する放送装置とから構成されるデータ放送番組制御システムであって、
前記送信装置と前記放送装置とは、互いに異なる放送局に備えられ、
複数の前記各要素データは、複数の部品データから構成され、
前記送信装置は、
複数の前記各要素データの中の特定の前記要素データにおける特定の部品データの変更処理の実行を前記放送装置に指示する制御情報を生成する制御情報生成手段と、
生成した制御情報を前記放送装置に1回以上送信する送信手段とを有し、
前記放送装置は、
前記制御情報を受信する受信手段と、
前記制御情報に従って、特定の前記要素データにおける特定の部品データの変更処理を実行する変更手段と、
前記変更処理が実行された特定の前記要素データを含むデータ放送番組を放送する放送手段と
を有し、
前記送信手段は、複数の各要素データから構成される前記データ放送番組を繰返し送信し、
前記受信手段は、前記送信手段から送信された前記データ放送番組を受信し、
前記変更手段は、前記制御情報に従って、受信された前記データ放送番組に含まれる特定の前記要素データにおける特定の部品データの変更処理を実行し、
前記制御情報は、前記複数の要素データの中から変更処理対象となる要素データを特定する要素データ特定情報と、変更処理内容を示す処理内容情報と、変更処理の実行時期を示す時期情報と、前記複数の要素データに追加するための部品データである追加用部品データとを含み、
前記変更手段は、
処理内容情報の示す変更処理内容を判定する処理内容判定手段と、
前記処理内容情報の示す変更処理内容が追加である場合に、前記時期情報の示す変更処理の実行時期が到来すると、前記要素データ特定情報によって特定される要素データを構成する複数の部品データを取得する取得手段と、
前記制御情報に含まれる前記追加用部品データを取得する追加用部品データ取得手段と、
前記取得手段によって取得された前記複数の部品データに、前記追加用部品データ取得手段によって取得された追加用部品データを追加して出力する出力手段と
を有することを特徴とするデータ放送番組制御システム。
【請求項９】
前記データ放送番組制御システムは、複数の放送装置を含み、
前記制御情報はさらに、前記変更処理を実行する放送装置を特定するための装置情報を含み、
前記変更手段はさらに、自己の放送装置が前記装置情報によって特定される放送装置に該当するか否かを判定する判定手段を有し、
前記変更手段は、自己の放送装置が、前記装置情報によって特定される放送装置に該当する場合に限り、前記変更処理を実行する
ことを特徴とする請求の範囲第８項記載のデータ放送番組制御システム。
【請求項１０】
送信装置と、データ放送番組を構成する複数の各要素データを放送する放送装置とから構成されるデータ放送番組制御システムであって、
前記送信装置と前記放送装置とは、互いに異なる放送局に備えられ、
複数の前記各要素データは、複数の部品データから構成され、
前記送信装置は、
複数の前記各要素データの中の特定の前記要素データにおける特定の部品データの変更処理の実行を前記放送装置に指示する制御情報を生成する制御情報生成手段と、
生成した制御情報を前記放送装置に1回以上送信する送信手段とを有し、
前記放送装置は、
前記制御情報を受信する受信手段と、
前記制御情報に従って、特定の前記要素データにおける特定の部品データの変更処理を実行する変更手段と、
前記変更処理が実行された特定の前記要素データを含むデータ放送番組を放送する放送手段と
を有し、
前記送信手段は、複数の各要素データから構成される前記データ放送番組を繰返し送信し、
前記受信手段は、前記送信手段から送信された前記データ放送番組を受信し、
前記変更手段は、前記制御情報に従って、受信された前記データ放送番組に含まれる特定の前記要素データにおける特定の部品データの変更処理を実行し、
前記制御情報は、複数の前記各要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記変更手段は、
前記処理内容情報の示す変更処理内容を判定する処理内容判定手段と、
変更処理内容が削除である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
削除した前記部品データを除く複数の前記部品データを出力する出力手段と
を有することを特徴とするデータ放送番組制御システム。
【請求項１１】
前記データ放送番組制御システムは、複数の放送装置を含み、
前記制御情報はさらに、前記変更処理を実行する放送装置を特定するための装置情報を含み、
前記変更手段はさらに、自己の放送装置が、前記装置情報によって特定される放送装置に該当するか否かを判定する判定手段を有し、
前記変更手段は、自己の放送装置が、前記装置情報によって特定される放送装置に該当する場合に限り、前記変更処理を実行する
ことを特徴とする請求の範囲第１０項記載のデータ放送番組制御システム。
【請求項１２】
複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第１項記載のデータ放送番組制御システム。
【請求項１３】
複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第３項記載のデータ放送番組制御システム。
【請求項１４】
複数の前記各要素データは、モジュールであり、複数の前記各部品データは、リソースであり、複数の前記各リソースは、データサイズが同一のパケットデータから構成され、各パケットデータには、当該パケットデータが属するモジュールを特定するモジュール識別子が付与され、
前記要素データ特定情報は、前記モジュール識別子によって、変更処理対象となる要素データを特定する
ことを特徴とする請求の範囲第５項記載のデータ放送番組制御システム。
【請求項１５】
複数の前記各要素データは、モジュールであり、複数の前記各部品データは、リソースであり、複数の前記各リソースは、データサイズが同一のパケットデータから構成され、各パケットデータには、当該パケットデータが属するモジュールを特定するモジュール識別子が付与され、
前記要素データ特定情報は、前記モジュール識別子によって、変更処理対象となる要素データを特定する
ことを特徴とする請求の範囲第８項記載のデータ放送番組制御システム。
【請求項１６】
複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第１０項記載のデータ放送番組制御システム。
【請求項１７】
前記送信手段は、前記制御情報と複数の前記各要素データをＴＳ（トランスポートストリーム）伝送形式により繰返し送信する
ことを特徴とする請求の範囲第１項記載のデータ放送番組制御システム。
【請求項１８】
前記送信手段は、前記制御情報と複数の前記各要素データをＩＰ（インターネットプロトコール）伝送形式により繰返し送信する
ことを特徴とする請求の範囲第１項記載のデータ放送番組制御システム。
【請求項１９】
データ放送番組を構成する複数の要素データを繰返し送信する送信装置と、送信された複数の前記各要素データを受信して放送する放送装置とから構成されるデータ放送番組制御システムであって、
前記送信装置と前記放送装置とは、互いに異なる放送局に備えられ、
前記送信装置は、
前記データ放送番組の構成の変更処理内容を示す処理内容情報と、前記変更処理の実行時期を示す時期情報とを含む制御情報を生成する制御情報生成手段と、
生成した制御情報を前記放送装置に送信する送信手段と
を有し、
前記放送装置は、
前記制御情報を受信する受信手段と、
少なくとも１つ以上の追加用イベントメッセージを、それぞれ、当該追加用イベントメッセージの送出時間帯を示す送出時間情報と対応付けて記憶している記憶手段と、
前記処理内容情報の示す変更処理内容を判定する処理内容判定手段と、
変更処理内容が追加である場合に、前記時期情報の示す変更処理の実行時期が到来すると、当該実行時期を範囲内に含む送出時間帯と対応付けられている追加用イベントメッセージを前記記憶手段から読み出す読出手段と、
読み出した前記追加用イベントメッセージと複数の前記各要素データとを出力する出力手段と
を有することを特徴とするデータ放送番組制御システム。
【請求項２０】
前記データ放送番組制御システムは、複数の放送装置を含み、
前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第１９項記載のデータ放送番組制御システム。
【請求項２１】
データ放送番組を構成する複数の要素データを繰返し送信する送信装置と、送信された複数の前記各要素データを受信して放送する放送装置とから構成されるデータ放送番組制御システムであって、
前記送信装置と前記放送装置とは、互いに異なる放送局に備えられ、
前記送信装置は、
前記データ放送番組の構成の変更処理内容を示す処理内容情報と、前記変更処理の実行時期を示す時期情報と、複数の前記各要素データに追加されるイベントメッセージである追加用イベントメッセージとを含む制御情報を生成する制御情報生成手段と、
生成した制御情報を前記放送装置に送信する送信手段と
を有し、
前記放送装置は、
前記制御情報を受信する受信手段と、
前記処理内容情報の示す変更処理内容を判定する処理内容判定手段と、
変更処理内容が追加である場合に、前記時期情報の示す変更処理の実行時期が到来すると、前記制御情報に含まれる追加用イベントメッセージを取得する取得手段と、
取得した前記追加用イベントメッセージと複数の前記各要素データとを出力する出力手段と
を有することを特徴とするデータ放送番組制御システム。
【請求項２２】
前記時期情報は、当該制御情報の受信時からの経過時間により、前記実行時期を示す
ことを特徴とする請求の範囲第１項、第３項、第８項、第１０項、第１９項、第２１項の何れかに記載のデータ放送番組制御システム。
【請求項２３】
前記データ放送番組制御システムは、複数の放送装置を含み、
前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第１４項記載のデータ放送番組制御システム。
【請求項２４】
前記送信装置は、映像データと音声データと複数の前記各要素データとを多重化したトランスポートストリームを入力する入力手段を備え、
前記制御情報生成手段は、前記制御情報を前記入力手段から入力されたトランスポートストリームに多重化し、
前記送信手段は、前記制御情報を多重化したトランスポートストリームを放送装置に送信する
ことを特徴とする請求の範囲第１項記載のデータ放送番組制御システム。
【請求項２５】
前記送信装置は、映像信号を入力する入力手段を備え、
前記制御情報生成手段は、前記制御情報を入力された映像信号に重畳し、
前記送信手段は、前記制御情報を重畳した映像信号を放送装置に送信する
ことを特徴とする請求の範囲第１項記載のデータ放送番組制御システム。
【請求項２６】
前記制御情報生成手段は、前記制御情報を映像信号の特定の水平走査期間に重畳する
ことを特徴とする請求の範囲第２５項記載のデータ放送番組制御システム。
【請求項２７】
前記送信装置は、映像信号を入力する入力手段を備え、
前記送信手段は、前記制御情報をシリアルディジタルインターフェース（ＳＤＩ）方式により送信し、
前記制御情報生成手段は、前記制御情報を入力された映像信号のアンシラリデータ領域に含める
ことを特徴とする請求の範囲第１項記載のデータ放送番組制御システム。
【請求項２８】
前記送信装置は、映像及び音声データを入力する入力手段を備え、
前記制御情報生成手段は、前記制御情報を入力された映像及び音声データに多重化し、
前記送信手段は、前記制御情報を多重化した映像及び音声データを放送装置に送信する
ことを特徴とする請求の範囲第１項記載のデータ放送番組制御システム。
【請求項２９】
前記制御情報生成手段は、前記制御情報をＭＰＥＧ規格のＰＥＳ（Packetized Elementary Stream）の形式で、入力された映像及び音声データに多重化する
ことを特徴とする請求の範囲第２８項記載のデータ放送番組制御システム。
【請求項３０】
前記制御情報生成手段は、前記制御情報をＭＰＥＧ規格のセクションの形式で、入力された映像及び音声データに多重化する
ことを特徴とする請求の範囲第２８項記載のデータ放送番組制御システム。
【請求項３１】
前記制御情報生成手段は、前記制御情報をＤＩＩ（Download Info Indication）に記述し、ＤＳＭ−ＣＣ(Digital Storage Media - Command and Control)データカルーセル伝送方式に従って複数の前記各要素データとＤＩＩを出力し、
前記送信手段は、前記制御情報生成手段から出力されたＤＩＩ及び複数の前記各要素データを放送装置に送信する
ことを特徴とする請求の範囲第１項記載のデータ放送番組制御システム。
【請求項３２】
前記制御情報生成手段は、前記制御情報をＤＤＢ（Download DataBlock）に記述し、ＤＳＭ−ＣＣ(Digital Storage Media - Command and Control)データカルーセル伝送方式に従って複数の前記各要素データとＤＤＢを出力し、
前記送信手段は、前記制御情報生成手段から出力されたＤＤＢ及び複数の前記各要素データを放送装置に送信する
ことを特徴とする請求の範囲第１項記載のデータ放送番組制御システム。
【請求項３３】
データ放送番組を構成する複数の各要素データを繰返し送信する送信装置から送信された前記複数の各要素データを受信して放送する放送装置であって、
前記送信装置と前記放送装置とは、互いに異なる放送局に備えられ、
複数の前記各要素データは、複数の部品データから構成され、
前記送信装置から、複数の前記各要素データの中の特定の前記要素データにおける特定の部品データの変更処理の実行を前記放送装置に指示する制御情報を受信する受信手段と、
前記制御情報に従って、特定の前記要素データにおける特定の部品データの変更処理を実行する変更手段と、
前記変更処理が実行された特定の前記要素データを含む前記データ放送番組を放送する放送手段と
を備え、
前記制御情報は、前記複数の要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記放送装置は、部品データ特定情報によって特定される部品データと差替えるための部品データである差替部品データを、前記部品データ特定情報と対応付けて記憶している記憶手段を備え、
前記変更手段は、
処理内容情報の示す変更処理内容を判定する処理内容判定手段と、
変更処理内容が差替である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
前記記憶手段から、前記部品データ特定情報に対応付けられている差替部品データを読出し、前記部品データ特定情報によって特定される要素データにおいて、削除した前記部品データを読出した差替部品データに差替えて出力する出力手段と
を有することを特徴とする放送装置。
【請求項３４】
前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第３３項記載の放送装置。
【請求項３５】
データ放送番組を構成する複数の各要素データを繰返し送信する送信装置から送信された前記複数の各要素データを受信して放送する放送装置であって、
前記送信装置と前記放送装置とは、互いに異なる放送局に備えられ、
複数の前記各要素データは、複数の部品データから構成され、
前記送信装置から、複数の前記各要素データの中の特定の前記要素データにおける特定の部品データの変更処理の実行を前記放送装置に指示する制御情報を受信する受信手段と、
前記制御情報に従って、特定の前記要素データにおける特定の部品データの変更処理を実行する変更手段と、
前記変更処理が実行された特定の前記要素データを含む前記データ放送番組を放送する放送手段と
を備え、
前記制御情報は、前記複数の要素データの中から変更処理対象となる要素データと、当該要素データを構成する部品データの中で変更処理対象となる部品データとを特定する部品データ特定情報と、変更処理の内容を示す処理内容情報と、変更処理の実行時期を示す時期情報と、部品データ特定情報によって特定される部品データと差替えるための部品データである差替部品データとを含み、
前記変更手段は、
前記処理内容情報の示す変更処理内容を判定する処理内容判定手段と、
変更処理内容が差替である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
前記制御情報に含まれる前記差替部品データを取得する差替部品データ取得手段と、
前記部品データ特定情報によって特定される要素データにおいて、削除した前記部品データを取得した前記差替部品データに差替えて出力する出力手段と
を有することを特徴とする放送装置。
【請求項３６】
前記制御情報はさらに、前記差替処理を実行する放送装置を特定する装置情報を含み、
前記変更手段はさらに、自己の放送装置が、前記装置情報によって特定される放送装置に該当するか否かを判定する判定手段を有し、
前記変更手段は、自己の放送装置が、前記装置情報によって特定される放送装置に該当する場合に限り、前記変更処理を実行する
ことを特徴とする請求の範囲第３５項記載の放送装置。
【請求項３７】
データ放送番組を構成する複数の各要素データを繰返し送信する送信装置から送信された前記複数の各要素データを受信して放送する放送装置であって、
前記送信装置と前記放送装置とは、互いに異なる放送局に備えられ、
複数の前記各要素データは、複数の部品データから構成され、
前記送信装置から、複数の前記各要素データの中の特定の前記要素データにおける特定の部品データの変更処理の実行を前記放送装置に指示する制御情報を受信する受信手段と、
前記制御情報に従って、特定の前記要素データにおける特定の部品データの変更処理を実行する変更手段と、
前記変更処理が実行された特定の前記要素データを含む前記データ放送番組を放送する放送手段と
を備え、
前記制御情報は、前記複数の要素データの中から変更処理対象となる要素データを特定する要素データ特定情報と、変更処理内容を示す処理内容情報と、変更処理の実行時期を示す時期情報とを含み、
前記放送装置は、変更処理対象となる要素データに追加する部品データである追加用部品データを記憶している記憶手段を備え、
前記変更手段は、
前記処理内容情報の示す変更処理内容を判定する処理内容判定手段と、
変更処理内容が追加である場合に、前記時期情報の示す変更処理の実行時期が到来すると、前記要素データ特定情報によって特定される要素データを構成する複数の部品データを取得する取得手段と、
前記記憶手段から前記追加用部品データを読み出し、取得した前記複数の部品データに読出した前記追加用部品データを追加して出力する出力手段と
を有することを特徴とする放送装置。
【請求項３８】
前記記憶手段は、少なくとも１つ以上の追加用部品データを、それぞれ、当該追加用部品データを送出する送出時間帯と対応付けて記憶し、
前記出力手段は、前記時期情報の示す前記実行時期を範囲内に含む送出時間帯と対応付けられている追加用部品データを前記記憶手段から読出す
ことを特徴とする請求の範囲第３７項記載の放送装置。
【請求項３９】
前記制御情報はさらに、前記変更処理を実行する放送装置を特定する装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第３８項記載の放送装置。
【請求項４０】
データ放送番組を構成する複数の各要素データを繰返し送信する送信装置から送信された前記複数の各要素データを受信して放送する放送装置であって、
前記送信装置と前記放送装置とは、互いに異なる放送局に備えられ、
複数の前記各要素データは、複数の部品データから構成され、
前記送信装置から、複数の前記各要素データの中の特定の前記要素データにおける特定の部品データの変更処理の実行を前記放送装置に指示する制御情報を受信する受信手段と、
前記制御情報に従って、特定の前記要素データにおける特定の部品データの変更処理を実行する変更手段と、
前記変更処理が実行された特定の前記要素データを含む前記データ放送番組を放送する放送手段と
を備え、
前記制御情報は、前記複数の要素データの中から変更処理対象となる要素データを特定する要素データ特定情報と、変更処理内容を示す処理内容情報と、変更処理の実行時期を示す時期情報と、前記複数の要素データに追加するための部品データである追加用部品データとを含み、
前記変更手段は、
処理内容情報の示す変更処理内容を判定する処理内容判定手段と、
前記処理内容情報の示す変更処理内容が追加である場合に、前記時期情報の示す変更処理の実行時期が到来すると、前記要素データ特定情報によって特定される要素データを構成する複数の部品データを取得する取得手段と、
前記制御情報に含まれる前記追加用部品データを取得する追加用部品データ取得手段と、
前記取得手段によって取得された前記複数の部品データに、前記追加用部品データ取得手段によって取得された追加用部品データを追加して出力する出力手段と
を有することを特徴とする放送装置。
【請求項４１】
前記制御情報はさらに、前記変更処理を実行する放送装置を特定するための装置情報を含み、
前記変更手段はさらに、自己の放送装置が、前記装置情報によって特定される放送装置に該当するか否かを判定する判定手段を有し、
前記変更手段は、自己の放送装置が、前記装置情報によって特定される放送装置に該当する場合に限り、前記変更処理を実行する
ことを特徴とする請求の範囲第４０項記載の放送装置。
【請求項４２】
複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第３３項又は第３５項記載の放送装置。
【請求項４３】
複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記要素データ特定情報は、前記モジュール識別子によって、変更処理対象となる要素データを特定する
ことを特徴とする請求の範囲第３７項記載の放送装置。
【請求項４４】
複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第４０項記載の放送装置。
【請求項４５】
データ放送番組を構成する複数の各要素データを繰返し送信する送信装置から送信された前記複数の各要素データを受信して放送する放送装置であって、
前記送信装置と前記放送装置とは、互いに異なる放送局に備えられ、
複数の前記各要素データは、複数の部品データから構成され、
前記送信装置から、複数の前記各要素データの中の特定の前記要素データにおける特定の部品データの変更処理の実行を前記放送装置に指示する制御情報を受信する受信手段と、
前記制御情報に従って、特定の前記要素データにおける特定の部品データの変更処理を実行する変更手段と、
前記変更処理が実行された特定の前記要素データを含む前記データ放送番組を放送する放送手段と
を備え、
前記制御情報は、前記複数の要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記変更手段は、
前記処理内容情報の示す変更処理内容を判定する処理内容判定手段と、
変更処理内容が削除である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
削除した前記部品データを除く前記複数の部品データを出力する出力手段と
を有することを特徴とする放送装置。
【請求項４６】
前記制御情報はさらに、前記変更処理を実行する放送装置を特定するための装置情報を含み、
前記変更手段はさらに、自己の放送装置が、前記装置情報によって特定される放送装置に該当するか否かを判定する判定手段を有し、
前記変更手段は、自己の放送装置が、前記装置情報によって特定される放送装置に該当する場合に限り、前記変更処理を実行する
ことを特徴とする請求の範囲第４５項記載の放送装置。
【請求項４７】
複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第４５項記載の放送装置。
【請求項４８】
データ放送番組を構成する複数の要素データを繰返し送信する送信装置から送信された複数の前記各要素データを受信して放送する放送装置であって、
前記送信装置と前記放送装置とは、互いに異なる放送局に備えられ、
前記送信装置から、前記データ放送番組の構成の変更処理内容を示す処理内容情報と、前記変更処理の実行時期を示す時期情報とを含む制御情報を受信する受信手段と、
少なくとも１つ以上の追加用イベントメッセージを、それぞれ、当該追加用イベントメッセージの送出時間帯を示す送出時間情報と対応付けて記憶している記憶手段と、
前記処理内容情報の示す変更処理内容を判定する処理内容判定手段と、
変更処理内容が追加である場合に、前記時期情報の示す変更処理の実行時期が到来すると、当該実行時期を範囲内に含む送出時間帯と対応付けられている追加用イベントメッセージを前記記憶手段から読み出す読出手段と、
読み出した前記追加用イベントメッセージと複数の前記各要素データとを出力する出力手段と
を備えることを特徴とする放送装置。
【請求項４９】
前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第４８項記載の放送装置。
【請求項５０】
データ放送番組を構成する複数の要素データを繰返し送信する送信装置から送信された複数の前記各要素データを受信して放送する放送装置であって、
前記送信装置と前記放送装置とは、互いに異なる放送局に備えられ、
前記送信装置から、変更処理内容を示す処理内容情報と、変更処理の実行時期を示す時期情報と、複数の要素データに追加されるイベントメッセージである追加用イベントメッセージとを含む制御情報を受信する受信手段と、
前記処理内容情報の示す変更処理内容を判定する処理内容判定手段と、
変更処理内容が追加である場合に、前記時期情報の示す変更処理の実行時期が到来すると、前記制御情報に含まれる追加用イベントメッセージを取得する取得手段と、
取得した追加用イベントメッセージと前記複数の各要素データとを出力する出力手段と
を備えることを特徴とする放送装置。
【請求項５１】
前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第５０項記載の放送装置。
【請求項５２】
前記時期情報は、当該制御情報の受信時からの経過時間により、前記実行時期を示す
ことを特徴とする請求の範囲第３３項、第３５項、第４０項、第４５項、第４８項、第５０項の何れかに記載の放送装置。
【請求項５３】
前記変更手段はさらに、前記変更処理の実行を抑止する抑止手段を有する
ことを特徴とする請求の範囲第３４項、第３６項、第３９項、第４１項、第４６項、第４９項、第５１項の何れかに記載の放送装置。
【請求項５４】
データ放送番組を構成する複数の各要素データを繰返し送信する送信装置から送信された前記複数の各要素データを受信して放送する放送装置に用いる放送方法であって、
前記送信装置と前記放送装置とは、互いに異なる放送局に備えられ、
複数の前記各要素データは、複数の部品データから構成され、
前記放送方法は、
前記送信装置から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送番組を放送する放送ステップと
を含み、
前記制御情報は、前記複数の要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記放送装置は、部品データ特定情報によって特定される部品データと差替えるための部品データである差替部品データを、前記部品データ特定情報と対応付けて記憶している記憶手段を備え、
前記変更ステップは、
処理内容情報の示す変更処理内容を判定する処理内容判定ステップと、
変更処理内容が差替である場合に、前記時期情報の示す変更処理の実行時期が到来すると、前記部品データ特定情報によって特定される要素データを構成する複数の部品データを取得する取得ステップと、
取得した前記複数の部品データから、前記部品データ特定情報によって特定される部品データを削除する削除ステップと、
前記記憶手段から、前記部品データ特定情報に対応付けられている差替部品データを読出し、前記部品データ特定情報によって特定される要素データにおいて、削除した前記部品データを読出した差替部品データに差替えて出力する出力ステップと
を含むことを特徴とする放送方法。
【請求項５５】
データ放送番組を構成する複数の各要素データを繰返し送信する送信装置から送信された前記複数の各要素データを受信して放送する放送装置に放送処理を実行させる放送プログラムであって、
前記送信装置と前記放送装置とは、互いに異なる放送局に備えられ、
複数の前記各要素データは、複数の部品データから構成され、
前記放送処理は、
前記送信装置から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送番組を放送する放送ステップと
を含み、
前記制御情報は、前記複数の要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記放送装置は、部品データ特定情報によって特定される部品データと差替えるための部品データである差替部品データを、前記部品データ特定情報と対応付けて記憶している記憶手段を備え、
前記変更ステップは、
処理内容情報の示す変更処理内容を判定する処理内容判定ステップと、
変更処理内容が差替である場合に、前記時期情報の示す変更処理の実行時期が到来すると、前記部品データ特定情報によって特定される要素データを構成する複数の部品データを取得する取得ステップと、
取得した前記複数の部品データから、前記部品データ特定情報によって特定される部品データを削除する削除ステップと、
前記記憶手段から、前記部品データ特定情報に対応付けられている差替部品データを読出し、前記部品データ特定情報によって特定される要素データにおいて、削除した前記部品データを読出した差替部品データに差替えて出力する出力ステップと
を含むことを特徴とする放送プログラム。
【請求項５６】
データ放送番組を構成する複数の各要素データを繰返し送信する送信装置から送信された前記複数の各要素データを受信して放送する放送装置に放送処理を実行させる放送プログラムを記録したコンピュータ読取可能な記録媒体であって、
前記送信装置と前記放送装置とは、互いに異なる放送局に備えられ、
複数の前記各要素データは、複数の部品データから構成され、
前記放送処理は、
前記送信装置から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送番組を放送する放送ステップと
を含み、
前記制御情報は、前記複数の要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記放送装置は、部品データ特定情報によって特定される部品データと差替えるための部品データである差替部品データを、前記部品データ特定情報と対応付けて記憶している記憶手段を備え、
前記変更ステップは、
処理内容情報の示す変更処理内容を判定する処理内容判定ステップと、
変更処理内容が差替である場合に、前記時期情報の示す変更処理の実行時期が到来すると、前記部品データ特定情報によって特定される要素データを構成する複数の部品データを取得する取得ステップと、
取得した前記複数の部品データから、前記部品データ特定情報によって特定される部品データを削除する削除ステップと、
前記記憶手段から、前記部品データ特定情報に対応付けられている差替部品データを読出し、前記部品データ特定情報によって特定される要素データにおいて、削除した前記部品データを読出した差替部品データに差替えて出力する出力ステップと
を含むことを特徴とするコンピュータ読取可能な記録媒体。
【請求項５７】
データ放送番組を構成する複数の各要素データを繰返し送信する送信装置から送信された前記複数の各要素データを受信して放送する放送装置に用いる放送方法であって、
前記送信装置と前記放送装置とは、互いに異なる放送局に備えられ、
複数の前記各要素データは、複数の部品データから構成され、
前記放送方法は、
前記送信装置から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送番組を放送する放送ステップと
を含み、
前記制御情報は、前記複数の要素データの中から変更処理対象となる要素データを特定する要素データ特定情報と、変更処理内容を示す処理内容情報と、変更処理の実行時期を示す時期情報とを含み、
前記放送装置は、変更処理対象となる要素データに追加する部品データである追加用部品データを記憶している記憶手段を備え、
前記変更ステップは、
前記処理内容情報の示す変更処理内容を判定する処理内容判定ステップと、
変更処理内容が追加である場合に、前記時期情報の示す変更処理の実行時期が到来すると、前記要素データ特定情報によって特定される要素データを構成する複数の部品データを取得する取得ステップと、
前記記憶手段から前記追加用部品データを読み出し、取得した前記複数の部品データに読出した前記追加用部品データを追加して出力する出力ステップと
を含むことを特徴とする放送方法。
【請求項５８】
データ放送番組を構成する複数の各要素データを繰返し送信する送信装置から送信された前記複数の各要素データを受信して放送する放送装置に放送処理を実行させる放送プログラムであって、
前記送信装置と前記放送装置とは、互いに異なる放送局に備えられ、
複数の前記各要素データは、複数の部品データから構成され、
前記放送処理は、
前記送信装置から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送番組を放送する放送ステップと
を含み、
前記制御情報は、前記複数の要素データの中から変更処理対象となる要素データを特定する要素データ特定情報と、変更処理内容を示す処理内容情報と、変更処理の実行時期を示す時期情報とを含み、
前記放送装置は、変更処理対象となる要素データに追加する部品データである追加用部品データを記憶している記憶手段を備え、
前記変更ステップは、
前記処理内容情報の示す変更処理内容を判定する処理内容判定ステップと、
変更処理内容が追加である場合に、前記時期情報の示す変更処理の実行時期が到来すると、前記要素データ特定情報によって特定される要素データを構成する複数の部品データを取得する取得ステップと、
前記記憶手段から前記追加用部品データを読み出し、取得した前記複数の部品データに読出した前記追加用部品データを追加して出力する出力ステップと
を含むことを特徴とする放送プログラム。
【請求項５９】
データ放送番組を構成する複数の各要素データを繰返し送信する送信装置から送信された前記複数の各要素データを受信して放送する放送装置に放送処理を実行させる放送プログラムを記録したコンピュータ読取可能な記録媒体であって、
前記送信装置と前記放送装置とは、互いに異なる放送局に備えられ、
複数の前記各要素データは、複数の部品データから構成され、
前記放送処理は、
前記送信装置から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送番組を放送する放送ステップと
を含み、
前記制御情報は、前記複数の要素データの中から変更処理対象となる要素データを特定する要素データ特定情報と、変更処理内容を示す処理内容情報と、変更処理の実行時期を示す時期情報とを含み、
前記放送装置は、変更処理対象となる要素データに追加する部品データである追加用部品データを記憶している記憶手段を備え、
前記変更ステップは、
前記処理内容情報の示す変更処理内容を判定する処理内容判定ステップと、
変更処理内容が追加である場合に、前記時期情報の示す変更処理の実行時期が到来すると、前記要素データ特定情報によって特定される要素データを構成する複数の部品データを取得する取得ステップと、
前記記憶手段から前記追加用部品データを読み出し、取得した前記複数の部品データに読出した前記追加用部品データを追加して出力する出力ステップと
を含むことを特徴とするコンピュータ読取可能な記録媒体。
【請求項６０】
データ放送番組を構成する複数の各要素データを繰返し送信する送信装置から送信された前記複数の各要素データを受信して放送する放送装置に用いる放送方法であって、
前記送信装置と前記放送装置とは、互いに異なる放送局に備えられ、
複数の前記各要素データは、複数の部品データから構成され、
前記放送方法は、
前記送信装置から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送番組を放送する放送ステップと
を含み、
前記制御情報は、前記複数の要素データの中から変更処理対象となる要素データと、当該要素データを構成する部品データの中で変更処理対象となる部品データとを特定する部品データ特定情報と、変更処理の内容を示す処理内容情報と、変更処理の実行時期を示す時期情報とを含み、
前記変更ステップは、
前記処理内容情報の示す変更処理内容を判定する処理内容判定ステップと、
変更処理内容が削除である場合に、前記時期情報の示す変更処理の実行時期が到来すると、前記部品データ特定情報によって特定される要素データを構成する複数の部品データを取得する取得ステップと、
取得した前記複数の部品データから、前記部品データ特定情報によって特定される部品データを削除する削除手段と、
削除した前記部品データを除く前記複数の部品データを出力する出力ステップと
を含むことを特徴とする放送方法。
【請求項６１】
データ放送番組を構成する複数の各要素データを繰返し送信する送信装置から送信された前記複数の各要素データを受信して放送する放送装置に放送処理を実行させる放送プログラムであって、
前記送信装置と前記放送装置とは、互いに異なる放送局に備えられ、
複数の前記各要素データは、複数の部品データから構成され、
前記放送処理は、
前記送信装置から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送番組を放送する放送ステップと
を含み、
前記制御情報は、前記複数の要素データの中から変更処理対象となる要素データと、当該要素データを構成する部品データの中で変更処理対象となる部品データとを特定する部品データ特定情報と、変更処理の内容を示す処理内容情報と、変更処理の実行時期を示す時期情報とを含み、
前記変更ステップは、
前記処理内容情報の示す変更処理内容を判定する処理内容判定ステップと、
変更処理内容が削除である場合に、前記時期情報の示す変更処理の実行時期が到来すると、前記部品データ特定情報によって特定される要素データを構成する複数の部品データを取得する取得ステップと、
取得した前記複数の部品データから、前記部品データ特定情報によって特定される部品データを削除する削除手段と、
削除した前記部品データを除く前記複数の部品データを出力する出力ステップと
を含むことを特徴とする放送プログラム。
【請求項６２】
データ放送番組を構成する複数の各要素データを繰返し送信する送信装置から送信された前記複数の各要素データを受信して放送する放送装置に放送処理を実行させる放送プログラムを記録したコンピュータ読取可能な記録媒体であって、
前記送信装置と前記放送装置とは、互いに異なる放送局に備えられ、
複数の前記各要素データは、複数の部品データから構成され、
前記放送処理は、
前記送信装置から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送番組を放送する放送ステップと
を含み、
前記制御情報は、前記複数の要素データの中から変更処理対象となる要素データと、当該要素データを構成する部品データの中で変更処理対象となる部品データとを特定する部品データ特定情報と、変更処理の内容を示す処理内容情報と、変更処理の実行時期を示す時期情報とを含み、
前記変更ステップは、
前記処理内容情報の示す変更処理内容を判定する処理内容判定ステップと、
変更処理内容が削除である場合に、前記時期情報の示す変更処理の実行時期が到来すると、前記部品データ特定情報によって特定される要素データを構成する複数の部品データを取得する取得ステップと、
取得した前記複数の部品データから、前記部品データ特定情報によって特定される部品データを削除する削除手段と、
削除した前記部品データを除く前記複数の部品データを出力する出力ステップと
を含むことを特徴とするコンピュータ読取可能な記録媒体。
【請求項６３】
データ放送番組を構成する複数の要素データを繰返し送信する送信装置から送信された前記複数の各要素データを受信して放送し、少なくとも１つ以上の追加用イベントメッセージを、それぞれ、当該追加用イベントメッセージの送出時間帯を示す送出時間情報と対応付けて記憶している記憶手段を備える放送装置に用いる放送方法であって、
前記送信装置と前記放送装置とは、互いに異なる放送局に備えられ、
複数の前記各要素データは、複数の部品データから構成され、
前記放送方法は、
前記送信装置から、前記データ放送番組の構成の変更処理内容を示す処理内容情報と、前記変更処理の実行時期を示す時期情報とを含む制御情報を受信する受信ステップと、
前記処理内容情報の示す変更処理内容を判定する処理内容判定ステップと、
変更処理内容が追加である場合に、前記時期情報の示す変更処理の実行時期が到来すると、当該実行時期を範囲内に含む送出時間帯と対応付けられている追加用イベントメッセージを前記記憶手段から読み出す読出ステップと、
読み出した前記追加用イベントメッセージと複数の前記各要素データとを出力する出力ステップと
を含むことを特徴とする放送方法。
【請求項６４】
データ放送番組を構成する複数の要素データを繰返し送信する送信装置から送信された前記複数の各要素データを受信して放送し、少なくとも１つ以上の追加用イベントメッセージを、それぞれ、当該追加用イベントメッセージの送出時間帯を示す送出時間情報と対応付けて記憶している記憶手段を備える放送装置に放送処理を実行させる放送プログラムであって、
前記送信装置と前記放送装置とは、互いに異なる放送局に備えられ、
複数の前記各要素データは、複数の部品データから構成され、
前記放送処理は、
前記送信装置から、前記データ放送番組の構成の変更処理内容を示す処理内容情報と、前記変更処理の実行時期を示す時期情報とを含む制御情報を受信する受信ステップと、
前記処理内容情報の示す変更処理内容を判定する処理内容判定ステップと、
変更処理内容が追加である場合に、前記時期情報の示す変更処理の実行時期が到来すると、当該実行時期を範囲内に含む送出時間帯と対応付けられている追加用イベントメッセージを前記記憶手段から読み出す読出ステップと、
読み出した前記追加用イベントメッセージと複数の前記各要素データとを出力する出力ステップと
を含むことを特徴とする放送プログラム。
【請求項６５】
データ放送番組を構成する複数の要素データを繰返し送信する送信装置から送信された前記複数の各要素データを受信して放送し、少なくとも１つ以上の追加用イベントメッセージを、それぞれ、当該追加用イベントメッセージの送出時間帯を示す送出時間情報と対応付けて記憶している記憶手段を備える放送装置に放送処理を実行させる放送プログラムを記録したコンピュータ読取可能な記録媒体であって、
前記送信装置と前記放送装置とは、互いに異なる放送局に備えられ、
複数の前記各要素データは、複数の部品データから構成され、
前記放送処理は、
前記送信装置から、前記データ放送番組の構成の変更処理内容を示す処理内容情報と、前記変更処理の実行時期を示す時期情報とを含む制御情報を受信する受信ステップと、
前記処理内容情報の示す変更処理内容を判定する処理内容判定ステップと、
変更処理内容が追加である場合に、前記時期情報の示す変更処理の実行時期が到来すると、当該実行時期を範囲内に含む送出時間帯と対応付けられている追加用イベントメッセージを前記記憶手段から読み出す読出ステップと、
読み出した前記追加用イベントメッセージと複数の前記各要素データとを出力する出力ステップと
を含むことを特徴とするコンピュータ読取可能な記録媒体。
【発明の詳細な説明】
（技術分野）
本発明は、データ放送の送受信システム、特にデータ放送番組の放送制御システムに関する。
【０００１】
（背景技術）
従来、地上波アナログ放送においては、放送番組は、放送番組の制作局であるキー局からネット回線を介して各地方局に送信される。各地方局によって受信された放送番組は、地方局から当地域に在住する視聴者（以下、「在住視聴者」という。）に対して放送される。
【０００２】
又、各地方局では、キー局から送信された放送番組をそのまま在住視聴者の受信装置に放送することに加え、地方局独自の放送番組を、キー局から送信された放送番組の一部を変更して放送することが行われている。例えば、スポーツ中継の放送番組途中で流されるキー局の広告放送（以下、「コマーシャル」という。）の一部を地方局独自のコマーシャルに差し替えて放送することが行われている。
【０００３】
この差し替え放送においては、地方局は、差し替えのタイミングを通知する信号（以下、「ネットキュー信号」という。）をキー局から特定のタイミングで受信することにより上記の差し替え処理を行う。具体的には、地方局は、ネットキュー信号を検知すると、放送番組の放送を予め設定された地方局における放送スケジュールに従って、地方局独自のコマーシャルの放送に切り換える。
【０００４】
そして、所定時間経過すると、当該コマーシャルの放送を終了し、再びキー局からの放送番組の放送に切り替える。
これにより、放送事業者は、視聴者の関心が高いキー局の全国的人気番組を放送する合間に、在住視聴者特有のニーズに合った、地方局独自のコマーシャルを選択し、放送することができるので、コマーシャルの宣伝効果を高めることができる。
【０００５】
近年、デジタル放送による放送番組の提供が実現され、放送衛星を利用したＢＳ（放送衛星）デジタル放送サービスが既に開始され、さらに地上波デジタル放送による放送サービスが新たに始められようとしている。デジタル放送においては、アナログ放送と異なり、放送される放送番組は映像放送だけでなく、静止画像、文字情報等のデータ放送を同時に放送することができる。このデータ放送においては、コマーシャル、ニュース、天気予報、ゲームなどさまざまな放送番組を映像放送と独立に、又は連動させて提供することができる。従って、放送事業者は、データ放送を有効に活用することにより、在住視聴者に対するコマーシャルの宣伝効果をさらに高めることが可能となる。
【０００６】
しかしながら、データ放送は、従来のアナログによる映像放送とは、放送方式、放送される素材のデータ構造等が異なるため、上記のネットキュー信号を利用した放送番組の差し替え処理の方法をそのままデータ放送の放送番組の処理に適用することができない。
（発明の開示）
本発明は、キー局から放送されるデータ放送番組の番組編成を、キー局からの制御により在住視聴者向けのデータ放送番組の番組編成に変更するためのデータ放送番組制御システムを提供することを目的とする。
【０００７】
上記目的を達成すべく、本発明は、送信装置と、データ放送データを構成する複数の各要素データを放送する放送装置とから構成されるデータ放送データ制御システムであって、複数の前記各要素データは、複数の部品データから構成され、前記送信装置は、複数の前記各要素データの中の特定の前記要素データにおける特定の部品データ変更処理の実行を前記放送装置に指示する制御情報を生成する制御情報生成手段と、生成された制御情報を前記放送装置に送信する送信手段とを有し、前記放送装置は、前記制御情報を受信する受信手段と、前記制御情報に従って特定の前記要素データにおける特定の部品データの変更処理を実行する変更手段と、前記変更処理が実行された特定の前記要素データを含むデータ放送データを放送する放送手段とを有する。
前記送信手段は、前記データ放送データを繰返し送信し、前記受信手段は、前記送信手段から送信された複数の前記データ放送データを受信し、前記変更手段は、前記制御情報に従って、受信された前記データ放送データに含まれる特定の前記要素データにおける特定の部品データの変更処理を実行することとしてもよい。さらに、前記送信手段は、前記制御情報と複数の前記各要素データをＴＳ（トランスポートストリーム）伝送形式により繰返し送信することとしてもよい。又、前記送信手段は、前記制御情報と複数の前記各要素データをＩＰ（インターネットプロトコール）伝送形式により繰返し送信することとしてもよい。
【０００８】
又、上記目的を達成すべく、本発明は、データ放送データを構成する複数の各要素データを繰返し放送装置に送信する送信装置であって、複数の前記各要素データは、複数の部品データから構成され、前記送信装置は、複数の前記各要素データの中の特定の前記要素データにおける特定の部品データの変更処理の実行を前記放送装置に指示する制御情報を生成する制御情報生成手段と、前記制御情報を放送装置に送信する送信手段とを備える。
【０００９】
前記送信装置は、映像データと音声データと複数の前記各要素データとを多重化したトランスポートストリームを入力する入力手段を備え、前記制御情報生成手段は、前記制御情報を前記入力部から入力されたトランスポートストリームに多重化し、前記送信手段は、前記制御情報を多重化したトランスポートストリームを放送装置に送信することとしてもよい。
【００１０】
或いは、前記送信装置は、映像信号を入力する入力手段を備え、前記制御情報生成手段は、前記制御情報を入力された映像信号に重畳し、前記送信手段は、前記制御情報を重畳した映像信号を放送装置に送信することとしてもよい。或いは、前記制御情報生成手段は、前記制御情報を映像信号の特定の水平走査期間に重畳することとしてもよい。
【００１１】
或いは、前記送信装置は、映像信号を入力する入力部を備え、前記送信手段は、前記制御情報をシリアルディジタルインターフェース（ＳＤＩ）方式により送信し、前記制御情報生成手段は、前記制御情報を入力された映像信号のアンシラリデータ領域に含めることとしてもよい。或いは、前記送信装置は、映像及び音声データを入力する入力手段を備え、前記制御情報生成手段は、前記制御情報を入力された映像及び音声データに多重化し、前記送信手段は、前記制御情報を多重化した映像及び音声データを放送装置に送信することとしてもよい。或いは、前記制御情報生成手段は、前記制御情報をＭＰＥＧ規格のＰＥＳ（Packetized Elementary Stream）の形式で、入力された映像及び音声データに多重化することとしてもよい。
或いは、前記制御情報生成手段は、前記制御情報をＭＰＥＧ規格のセクションの形式で、入力された映像及び音声データに多重化することとしてもよい。
【００１２】
或いは、前記制御情報生成手段は、前記制御情報をＤＩＩ（Download Info Indication）に記述し、ＤＳＭ−ＣＣ(Digital Storage Media - Command and Control)データカルーセル伝送方式に従って複数の前記各要素データとＤＩＩを出力し、前記送信手段は、前記制御情報生成手段から出力されたＤＩＩ及び複数の前記各要素データを放送装置に送信することとしてもよい。
【００１３】
或いは、前記制御情報生成手段は、前記制御情報をＤＤＢ（Download DataBlock）に記述し、ＤＳＭ−ＣＣ(Digital Storage Media - Command and Control)データカルーセル伝送方式に従って複数の前記各要素データとＤＤＢを出力し、前記送信手段は、前記制御情報生成手段から出力されたＤＤＢ及び複数の前記各要素データを放送装置に送信することとしてもよい。
【００１４】
上記目的を達成すべく、本発明は、データ放送データを構成する複数の各要素データを放送する放送装置であって、複数の前記各要素データは、複数の部品データから構成され、外部から、複数の前記各要素データの中の特定の前記要素データにおける特定の部品データの変更処理の実行を前記放送装置に指示する制御情報を受信する受信手段と、
前記制御情報に従って、前記データ放送データの構成の変更処理を実行する変更手段と、
前記変更処理が実行された特定の前記要素データを含む前記データ放送データを放送する放送手段とを備える。
【００１５】
これにより、キー局である送信装置から放送装置である地方局に送信されるデータ放送番組の構成を、キー局からの制御により地方局の視聴者のニーズに合うように変更することができるので、キー局は、地方局の視聴者のニーズにより適合するように、データ放送番組の内容を編成することができる。ここで、前記制御情報は、複数の前記各要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、前記放送装置は、部品データ特定情報によって特定される部品データと差替えるための部品データである差替部品データを、前記部品データ特定情報と対応付けて記憶している記憶手段を有し、前記変更手段は、処理内容情報の示す変更処理内容を判定する処理内容判定手段と、変更処理内容が差替である場合に、前記時期情報の示す変更処理の実行時期が到来すると、前記部品データ特定情報によって特定される要素データを構成する複数の部品データを取得する取得部と、取得した前記複数の部品データから、前記部品データ特定情報によって特定される部品データを削除する削除手段と、前記記憶部から、前記部品データ特定情報に対応付けられている差替部品データを読出し、前記部品データ特定情報によって特定される要素データにおいて、削除した前記部品データを読出した差替部品データに差替えて出力する出力手段とを有することとしてもよい。
ここで、前記時期情報は、当該制御情報の受信時からの経過時間により、前記実行時期を示すこととしてもよい。
【００１６】
これにより、キー局の制御下において、地方局に対し、地方局で差替え可能なデータ放送番組の要素データを特定することができるので、キー局は、データ放送番組の基本構成を維持しながら、地方局の視聴者のニーズに合うようにデータ放送番組を構成する要素データを地方局の視聴者向けの要素データに差替えさせることができる。
【００１７】
ここで、前記データ放送データ制御システムは、複数の放送装置を含み、前記制御情報はさらに、前記変更処理を実行する放送装置を特定するための装置情報を含み、前記変更部はさらに、自己の放送装置が、前記装置情報によって特定される放送装置に該当するか否かを判定する装置判定部を有し、前記変更部は、自己の放送装置が、前記装置情報によって特定される放送装置に該当する場合に限り、前記変更処理を実行することとしてもよい。
【００１８】
これにより、選択された地方局においてのみ、データ放送番組の要素データを地方局の視聴者向けの要素データに変更することが可能となるので、データ放送番組の番組編成の変更において、地方局毎に当該地方局の視聴者のニーズにより適合するように、データ放送番組を編成することができる。例えば、特定の地域に所在する地方局においてのみ、番組内容を差替えて地方選挙の速報やイベント情報や台風情報などを放送することにより、当該地方局の視聴者にのみ必要な情報を提供することができる。
【００１９】
ここで、前記制御情報は、複数の前記各要素データの中から変更処理対象となる要素データと、当該要素データを構成する部品データの中で変更処理対象となる部品データとを特定する部品データ特定情報と、変更処理の内容を示す処理内容情報と、変更処理の実行時期を示す時期情報と、部品データ特定情報によって特定される部品データと差替えるための部品データである差替部品データとを含み、前記変更手段は、前記処理内容情報の示す変更処理内容を判定する処理内容判定手段と、変更処理内容が差替である場合に、前記時期情報の示す変更処理の実行時期が到来すると、前記部品データ特定情報によって特定される要素データを構成する複数の部品データを取得する取得手段と、取得した前記複数の部品データから、前記部品データ特定情報によって特定される部品データを削除する削除手段と、前記制御情報に含まれる前記差替部品データを取得する差替部品データ取得手段と、前記部品データ特定情報によって特定される要素データにおいて、削除した前記部品データを取得した前記差替部品データに差替えて出力する出力手段とを有することとしてもよい。
【００２０】
これにより、キー局が差替えのタイミングや差替え内容を一括してコントロールすることができるので、データ放送番組の編成を効率的に行うことができる。例えば、キー局は、あるメーカーの商品のコマーシャルをデータ放送する場合、地方局に対して、宣伝対象の商品を、当該地方局の視聴者にとってより関心の高い商品に変更するように制御することができる。
【００２１】
ここで、前記データ放送データ制御システムは、複数の放送装置を含み、前記制御情報はさらに、前記変更処理を実行する放送装置を特定するための装置情報を含み、前記変更部はさらに、自己の放送装置が、前記装置情報によって特定される放送装置に該当するか否かを判定する装置判定部を有し、前記変更部は、自己の放送装置が、前記装置情報によって特定される放送装置に該当する場合に限り、前記変更処理を実行することとしてもよい。
【００２２】
これにより、キー局は自己が保有するデータベースから最適の情報を選択し、選択した情報を選択した地方局に送信することができるので、キー局は、選択した地方局毎に当該地方局の視聴者のニーズにより適合するようにデータ放送番組を編成することができる。
例えば、特定の地域でお祭り等のイベントが催される場合に、当該地域に存する地方局に対し、イベント関連のコマーシャルを繰返し流すことにより、キー局は、商品の宣伝を効果的に行うことができる。
【００２３】
ここで、前記制御情報は、複数の前記各要素データの中から変更処理対象となる要素データを特定する要素データ特定情報と、変更処理内容を示す処理内容情報と、変更処理の実行時期を示す時期情報とを含み、前記放送装置は、変更処理対象となる要素データに追加する部品データである追加用部品データを記憶している記憶手段を有し、前記変更手段は、前記処理内容情報の示す変更処理内容を判定する処理内容判定手段と、変更処理内容が追加である場合に、前記時期情報の示す変更処理の実行時期が到来すると、前記要素データ特定情報によって特定される要素データを構成する複数の部品データを取得する取得手段と、前記記憶手段から前記追加用部品データを読み出し、取得した前記複数の部品データに読出した前記追加用部品データを追加して出力する出力手段とを有することとしてもよい。
【００２４】
ここで、複数の前記各要素データは、モジュールであり、複数の前記各部品データは、リソースであり、複数の前記各リソースは、データサイズが同一のパケットデータから構成され、各パケットデータには、当該パケットデータが属するモジュールを特定するモジュール識別子が付与され、前記要素データ特定情報は、前記モジュール識別子によって、変更処理対象となる要素データを特定することとしてもよい。
【００２５】
これにより、キー局は、地方局に対し、自己が制作したデータ放送番組を構成する要素データを削除することなく、地方向けの要素データを追加させるように制御することができるので、キー局は、自己が制作したデータ放送番組の番組構成を維持しながら、地方局の視聴者のニーズにあった要素データを地方局に追加させるように制御することができる。
【００２６】
ここで、前記記憶手段は、少なくとも１つ以上の追加用部品データを、それぞれ、当該追加用部品データを送出する送出時間帯と対応付けて記憶し、前記出力手段は、前記時期情報の示す前記実行時期を範囲内に含む送出時間帯と対応付けられている追加用部品データを前記記憶手段から読出すこととしてもよい。これにより、時間帯に合わせて、地方局の視聴者のニーズに合ったデータ放送番組の要素データを選択し、追加することができる。
【００２７】
ここで、前記データ放送データ制御システムは、複数の放送装置を含み、前記制御情報はさらに、前記変更処理を実行する放送装置を特定するための装置情報を含み、前記変更部はさらに、自己の放送装置が、前記装置情報によって特定される放送装置に該当するか否かを判定する装置判定部を有し、前記変更部は、自己の放送装置が、前記装置情報によって特定される放送装置に該当する場合に限り、前記変更処理を実行することとしてもよい。
【００２８】
これにより、選択した地方局においてのみ、時間帯に合わせて、地方局の視聴者のニーズに合ったデータ放送番組の要素データを選択させて追加させることができる。
ここで、前記制御情報は、前記複数の要素データの中から変更処理対象となる要素データを特定する要素データ特定情報と、変更処理内容を示す処理内容情報と、変更処理の実行時期を示す時期情報と、前記複数の要素データに追加するための部品データである追加用部品データとを含み、前記変更手段は、処理内容情報の示す変更処理内容を判定する処理内容判定手段と、前記処理内容情報の示す変更処理内容が追加である場合に、前記時期情報の示す変更処理の実行時期が到来すると、前記要素データ特定情報によって特定される要素データを構成する複数の部品データを取得する取得手段と、前記制御情報に含まれる前記追加用部品データを取得する追加用部品データ取得手段と、前記取得手段によって取得された前記複数の部品データに、前記追加用部品データ取得手段によって取得された追加用部品データを追加して出力する出力手段とを有することとしてもよい。
【００２９】
ここで、複数の前記各要素データは、モジュールであり、複数の前記各部品データは、リソースであり、複数の前記各リソースは、データサイズが同一のパケットデータから構成され、各パケットデータには、当該パケットデータが属するモジュールを特定するモジュール識別子が付与され、前記要素データ特定情報は、前記モジュール識別子によって、変更処理対象となる要素データを特定することとしてもよい。
【００３０】
これにより、キー局は、自己が制作したデータ放送番組を構成する要素データを削除することなく、地方局の視聴者のニーズにあったデータ放送番組の要素データを自ら選択することができるので、キー局は、自己が制作したデータ放送番組の番組構成を維持しながら、地方の視聴者向けの要素データを追加することができる。
【００３１】
ここで、前記データ放送データ制御システムは、複数の放送装置を含み、前記制御情報はさらに、前記変更処理を実行する放送装置を特定するための装置情報を含み、前記変更部はさらに、自己の放送装置が、前記装置情報によって特定される放送装置に該当するか否かを判定する装置判定部を有し、前記変更部は、自己の放送装置が、前記装置情報によって特定される放送装置に該当する場合に限り、前記変更処理を実行することとしてもよい。
【００３２】
これにより、キー局は、自己が制作したデータ放送番組を構成する要素データを削除することなく、選択した地方局の視聴者のニーズにあったデータ放送番組の要素データを自ら選択することができるので、キー局は、自己が制作したデータ放送番組の番組構成を維持しながら、選択した地方局毎に地方の視聴者向けの要素データを追加することができる。
【００３３】
ここで、前記制御情報は、複数の前記各要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、前記変更手段は、前記処理内容情報の示す変更処理内容を判定する処理内容判定手段と、変更処理内容が削除である場合に、前記時期情報の示す変更処理の実行時期が到来すると、前記部品データ特定情報によって特定される要素データを構成する複数の部品データを取得する取得手段と、取得した前記複数の部品データから、前記部品データ特定情報によって特定される部品データを削除する削除手段と、削除した前記部品データを除く複数の前記部品データを出力する出力手段とを有することとしてもよい。ここで、複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、前記部品データ特定情報は、前記モジュール識別子及び前記リソース識別子によって、変更処理対象となる要素データ及び変更処理対象となる部品データをそれぞれ特定することとしてもよい。
【００３４】
これにより、キー局は、自己の制作したデータ放送番組の一部を必要に応じて、地方局で放送させないようにすることができるので、地方局にとって不必要な放送を放送することを避けることができる。ここで、前記データ放送データ制御システムは、複数の放送装置を含み、前記制御情報はさらに、前記変更処理を実行する放送装置を特定するための装置情報を含み、前記変更手段はさらに、自己の放送装置が、前記装置情報によって特定される放送装置に該当するか否かを判定する判定手段を有し、前記変更手段は、自己の放送装置が、前記装置情報によって特定される放送装置に該当する場合に限り、前記変更処理を実行することとしてもよい。
【００３５】
これにより、キー局は、自己の制作したデータ放送番組の一部を必要に応じて、選択した地方局で放送させないようにすることができるので、当該地方局の視聴者にとって不必要な放送を放送することを避けることができる。ここで、前記制御情報は、前記変更処理の処理手順を示すスクリプトを含み、前記変更手段は、前記スクリプトの示す処理手順に従って前記変更処理を実行することとしてもよい。
【００３６】
これにより、キー局は、送信したスクリプトの示す手順に従って地方局にデータ放送番組の番組編成を変更させることができる。ここで、前記データ放送データ制御システムは、複数の放送装置を含み、前記制御情報はさらに、前記変更処理を実行する放送装置を特定するための装置情報を含み、前記変更手段はさらに、自己の放送装置が、前記装置情報によって特定される放送装置に該当するか否かを判定する装置判定手段を有し、前記変更手段は、自己の法装置が、前記装置情報によって特定される放送装置に該当する場合に限り、前記変更処理を実行することとしてもよい。
【００３７】
又、本発明は、データ放送データを構成する複数の要素データを繰返し送信する送信装置と、送信された複数の前記各要素データを受信して放送する放送装置とから構成されるデータ放送データ制御システムであって、前記送信装置は、前記データ放送データの構成の変更処理内容を示す処理内容情報と、前記変更処理の実行時期を示す時期情報とを含む制御情報を生成する制御情報生成手段と、生成した制御情報を前記放送装置に送信する送信手段とを有し、前記放送装置は、前記制御情報を受信する受信手段と、少なくとも１つ以上の追加用イベントメッセージを、それぞれ、当該追加用イベントメッセージの送出時間帯を示す送出時間情報と対応付けて記憶している記憶手段と、前記処理内容情報の示す変更処理内容を判定する処理内容判定手段と、変更処理内容が追加である場合に、前記時期情報の示す変更処理の実行時期が到来すると、当該実行時期を範囲内に含む送出時間帯と対応付けられている追加用イベントメッセージを前記記憶手段から読み出す読出手段と、読み出した前記追加用イベントメッセージと複数の前記各要素データとを出力する出力手段とを有することとしてもよい。
【００３８】
これにより、キー局は、地方局に対し、必要時に地方局に予め記憶されているイベントメッセージをデータ放送番組に追加させるように制御することができる。ここで、前記データ放送データ制御システムは、複数の放送装置を含み、前記制御情報はさらに、前記変更処理を実行する放送装置を特定するための装置情報を含み、前記変更手段はさらに、自己の放送装置が、前記装置情報によって特定される放送装置に該当するか否かを判定する装置判定手段を有し、前記変更手段は、自己の放送装置が、前記装置情報によって特定される放送装置に該当する場合に限り、前記変更処理を実行することとしてもよい。
【００３９】
これにより、キー局は、選択した地方局に対し、必要時に地方局に予め記憶されているイベントメッセージをデータ放送番組に追加させるように制御することができる。
装置と、送信された複数の前記各要素データを受信して放送する放送装置とから構成されるデータ放送データ制御システムであって、前記送信装置は、前記データ放送データの構成の変更処理内容を示す処理内容情報と、前記変更処理の実行時期を示す時期情報と、複数の前記各要素データに追加されるイベントメッセージである追加用イベントメッセージとを含む制御情報を生成する制御情報生成手段と、生成した制御情報を前記放送装置に送信する送信手段とを有し、前記放送装置は、前記制御情報を受信する受信手段と、前記処理内容情報の示す変更処理内容を判定する処理内容判定手段と、変更処理内容が追加である場合に、前記時期情報の示す変更処理の実行時期が到来すると、前記制御情報に含まれる追加用イベントメッセージを取得する取得手段と、取得した前記追加用イベントメッセージと複数の前記各要素データとを出力する出力手段とを有することとしてもよい。
【００４０】
これにより、キー局は、必要時に地方局に自己の制作したイベントメッセージをデータ放送番組に追加させることができる。例えば、重大事件が発生した場合に、当該重大事件に関するイベントメッセージを制作して地方局に送信し、地方局に当該イベントメッセージを放送させることができる。ここで、前記データ放送データ制御システムは、複数の放送装置を含み、前記制御情報はさらに、前記変更処理を実行する放送装置を特定するための装置情報を含み、前記変更手段はさらに、自己の放送装置が、前記装置情報によって特定される放送装置に該当するか否かを判定する装置判定手段を有し、前記変更手段は、自己の放送装置が、前記装置情報によって特定される放送装置に該当する場合に限り、前記変更処理を実行することとしてもよい。
【００４１】
これにより、キー局は、必要時に選択した地方局に自己の制作したイベントメッセージをデータ放送番組に追加させることができる。例えば、ある地域で地震が発生した場合に、地震情報を示すイベントメッセージを制作して、当該地域の地方局に当該イベントメッセージを送信し、当該地方局に当該イベントメッセージを放送させることができる。
【図面の簡単な説明】
【図１】本実施の形態１におけるデータ放送番組制御システム１の主要部の構成を示す。
【００４２】
【図２】図１に示す第１放送装置から送信されるデータ放送番組を構成するモジュールのストリームの一例を概念的に表した概念図である。
【図３】目次情報の一例を示す図である。
【図４】本実施の形態１におけるデータ放送制御情報の一例を示す図である。
【図５】リソースの一例を示す図である。
【００４３】
【図６】リソーステーブルの一例を示す図である。
【図７】図１に示すデータ処理部が行うモジュール差替処理の動作を示すフローチャートである。
【図８】本実施の形態２におけるデータ放送番組制御システムの主要部の構成を示す。
【００４４】
【図９】本実施の形態２における追加制御情報の一例を示す図である。
【図１０】追加モジュールテーブル及び追加リソーステーブルの一例を示す。
【図１１】図８に示すデータ処理部が行う追加処理用データ追加処理の動作示すフローチャートである。
【図１２】データ処理部の行うモジュール追加処理の動作を示すフローチャートである。
【００４５】
【図１３】本実施の形態３におけるデータ放送番組制御システムの主要部の構成を示す。
【図１４】本実施の形態３におけるデータ放送制御情報の一例を示す。
【図１５】図１３に示すデータ処理部が行うモジュール削除処理の動作を示すフローチャートである。
【００４６】
【図１６】本実施の形態４におけるデータ放送番組制御システムの主要部の構成を示す。
【図１７】本実施の形態４におけるデータ放送制御情報の一例を示す。
【図１８】図１６に示すデータ処理部が行うモジュール差替処理の動作を示すフローチャートである。
【００４７】
【図１９】本実施の形態５におけるデータ放送番組制御システムの主要部の構成を示す。
【図２０】本実施の形態５における追加制御情報の一例を示す。
【図２１】図１９に示すデータ処理部が行う追加処理用データ追加処理の動作を示すフローチャートである。
【００４８】
【図２２】本実施の形態における第１放送装置の変形例の構成を示す機能ブロック図である。
【図２３】本実施の形態における第１放送装置の他の変形例の構成を示す機能ブロック図である。
【図２４】本実施の形態における第１放送装置の他の変形例の構成を示す機能ブロック図である。
【００４９】
【図２５】本実施の形態における第１放送装置の他の変形例の構成を示す機能ブロック図である。
【図２６】本実施の形態における第１放送装置の他の変形例の構成を示す機能ブロック図である。
【図２７】本実施の形態における第１放送装置の他の変形例の構成を示す機能ブロック図である。
【００５０】
【図２８】本実施の形態における第１放送装置の他の変形例の構成を示す機能ブロック図である。
【図２９】図８に示すデータ処理部が行うリソース追加処理の動作を示すフローチャートである。
【図３０】図８に示すデータ処理部が行うイベントメッセージ追加処理の動作を示すフローチャートである。
【００５１】
【図３１】図１９に示すデータ処理部が行うモジュール追加処理の動作を示すフローチャートである。
【図３２】図１９に示すデータ処理部が行うリソース追加処理の動作を示すフローチャートである。
【図３３】図１９に示すデータ処理部が行うイベントメッセージ追加処理の動作を示すフローチャートである。
【００５２】
【図３４】図１に示すデータ処理部が行うリソース差替処理の動作を示すフローチャートである。
【図３５】図１３に示すデータ処理部が行うリソース削除処理の動作を示すフローチャートである。
【図３６】図１６に示すデータ処理部が行うリソース差替処理の動作を示すフローチャートである。
（発明を実施するための最良の形態）
＜実施の形態１＞
以下、本発明の実施の形態１に係るデータ放送番組制御システムについて、図を用いて説明する。
【００５３】
＜構成＞
以下、本発明に係るデータ放送番組制御システムについて、図を参照して詳細に説明する。
図１は、本実施の形態１におけるデータ放送番組制御システム１の主要部の構成を示す。データ放送番組制御システム１は、映像データと音声データとデータ放送用の静止画像、文字情報等のデータ（以下、「データ放送データ」という。）とが多重化されたトランスポートストリームを送信するキー局の放送装置（以下、「第１放送装置」という。）１００と第１放送装置１００から送信されるトランスポートストリームを受信して放送する地方局の放送装置（以下、「第２放送装置」という。）２００から構成される。
【００５４】
なお、第１放送装置１００は、複数であってもよい。
又、第２放送装置２００も複数であってもよい。
ここで、トランスポートストリームとは、放送番組を構成する映像データ、音声データ、データ放送データのそれぞれを、必要な情報を付加した固定長（１８８バイト）のパケットに分割し、分割したデータ(以下、「パケットデータ」という。)を順次並べて形成された１本のデータ列のことをいう。トランスポートストリームはデジタル放送において、広く利用されており、トランスポートストリームには、映像データ、音声データ、データ放送データなどの複数種類のデータが多重化され、送信される。
【００５５】
又、データ放送番組制御システム１は、ハードウェアとしてはＣＰＵ、ＲＯＭ、ＲＡＭ、ハードディスク、デコーダ、フィルタ等から構成され、ＲＯＭ又は上記ハードディスクには、コンピュータプログラムが記憶され、上記ＣＰＵが、上記コンピュータプログラムに従って動作することにより、上記システムは、その機能を実現する。以下、後述するデータ放送番組制御システム２〜５についても同様である。
【００５６】
最初に、第１放送装置１００の構成について説明する。第１放送装置１００は、エンコーダ部１０１、データ放送送出部１０２、放送部１０３、データ放送制御信号生成部１０４、制御情報通知部１０５、送信部１０６から構成される。
エンコーダ部１０１は、第１放送装置１００に入力された映像及び音声データを圧縮符号化し、パケットデータに分割し、後述するＰＩＤを付加して放送部１０３に出力する。
【００５７】
圧縮符号化は、例えばＭＰＥＧ２による圧縮方式により行われる。
制御情報通知部１０５は、オペレータからのデータ放送制御情報の入力を受けつけ、入力されたデータ放送制御情報をデータ放送制御信号生成部１０４に出力する。なお、データ放送制御情報をオペレータが入力する代わりに、データ放送制御情報を予めメモリに記憶させておいて、設定した時間に制御情報通知部１０５がデータ放送制御情報を読出し、データ放送制御信号生成部１０４に出力することとしてもよい。
【００５８】
ここで、「データ放送制御情報」とは、第１放送装置１００から送信されるデータ放送番組に対し、変更処理の対象となるデータ放送番組の構成要素（以下、「モジュール」という。）を特定し、特定したモジュールの変更処理の実行を第２放送装置２００に指示する制御情報のことをいう。
又、データ放送制御情報は、例えば、ＭＰＥＧ２規格におけるＰＥＳ（Packetized Elementary Stream）の形式で多重化されてもよいし、ＭＰＥＧ２規格におけるセクションの形式で多重化されてもよい。
【００５９】
各モジュールは、複数のパケットデータ（以下、「モジュールパケットデータ」という。）から構成され、各モジュールを構成するパケットデータには、予めＰＩＤ、モジュールＩＤ、及びリソース名が識別情報として付与されている。
「ＰＩＤ」は、パケットデータの属するデータの種類を識別するための識別子である。これにより、第２放送装置は、第１放送装置から送信されたモジュールパケットデータが例えば、映像データであるか、音声データであるか、データ放送データであるかの識別をすることができる。
【００６０】
「モジュールＩＤ」は、各モジュールパケットデータが属するモジュールを識別するための識別子である。
「リソース名」は、各モジュールを構成するリソースを識別するための識別子である。
ここで、「リソース」とは、モジュールの構成要素のことをいい、例えば、Markup言語で記述されたＢＭＬ（Broadcast Markup Language）文書ファイルや画像データファイルのことをいう。各リソースデータは、同一又は異なるモジュールに属する他のリソースのリソース名をリンク先として指定するためのリンク情報を含んでいてもよい。
【００６１】
図２は、第１放送装置１００から送信されるデータ放送番組を構成するモジュールのストリームの一例を示す概念図である。図２では、データ放送番組は、目次情報、ニュース、海外ニュース、天気予報、全国版コマーシャル、地方版コマーシャルを示す各モジュール（モジュール１〜５）から構成され、各モジュールは、一定周期毎に繰返し第１放送装置１００から送信される。
【００６２】
ここで、「目次情報」とは、ユーザーがデータ放送受信装置のリモコンのデータ放送受信選択ボタンを選択した場合に、最初に画面に表示されるように設定されているメニュー選択画像を示すモジュールのことをいう。図３は、目次情報の一例を示す図である。目次情報の示すメニュー選択画像には、選択メニューの示す、各モジュールを特定するモジュールＩＤの指定をユーザーから受付け、当該モジュールＩＤの特定するモジュールの示す画像を画面に表示させるためのリンクボタン（図３の▲１▼〜▲４▼によって示すボタン）が含まれ、ユーザーによって、リンクボタンが選択されると、データ放送受信装置は、指定されたモジュールＩＤを有する各モジュールパケットデータを受信し、受信した各モジュールパケットデータによって構成されるモジュールの示す画像を画面に表示させる。
【００６３】
図４は、データ放送制御情報の一例を示す図である。図４に示す例では、データ放送制御情報は、対象地域ＩＤ、処理対象ＰＩＤ、処理対象モジュールＩＤ、処理対象リソース名、処理内容、処理実行期間及びスポンサー名を示す情報から構成される。
なお、素材コード（放送局側で利用される識別コード）を上記データ制御情報に追加することとしてもよい。
【００６４】
ここで、「対象地域ＩＤ」は、上記処理内容の示す処理が許容される地域を特定するための識別子である。例えば、対象地域ＩＤが「西日本」を示す場合には、第２放送装置２００が西日本に位置する場合、当該第２放送装置２００は、データ放送制御情報を受信すると、第１放送装置１００から送信されたデータ放送番組について、当該データ放送制御情報に含まれる処理内容の示す処理を行い、一方、第２放送装置２００が東日本に位置する場合、当該第２放送装置２００は、第１放送装置１００から送信されたデータ放送番組をそのまま放送する。
【００６５】
ここで、各地域に設けられた第２放送装置２００には、予め当該装置が属する地域を識別するための地域ＩＤを保持しており、各第２放送装置２００は、自己が保持する地域ＩＤと受信した対象地域ＩＤとが一致するか否かにより「処理内容」が示す処理を実行するか否かを判定する。
又、「処理対象ＰＩＤ」は、第１放送装置１００から送信されるトランスポートストリームにおいて、処理が許容されるデータ放送番組を構成するパケットデータを特定するＰＩＤである。図４の例では、処理対象ＰＩＤは、「００３」である。
【００６６】
又、「処理対象モジュールＩＤ」は、処理対象ＰＩＤによって特定されるデータ放送番組において、処理が許容されるモジュールを特定するモジュールＩＤである。図４の例では、処理対象モジュールＩＤは、「０００６」である。
又、「処理対象リソース名」は、処理対象モジュールＩＤによって特定されるモジュールにおいて、処理が許容されるリソースを特定する識別子である。図４の例では、リソース名が「Kanto.JPEG」と「Kanto.BML」の２つのリソースが特定されている。
【００６７】
なお、処理対象リソース名が特定されていない場合には、処理が許容される対象が、処理対象モジュールＩＤによって特定されているモジュールを構成する全てのリソース、すなわち、モジュール全体であることを示すものとする。
図５は、リソースの一例を示す図である。図５には、ノートパソコンのコマーシャルの画像を示すリソースが表示され、右下に他のリソースへのリンク情報を含む選択ボタン１００１及び１００２が表示されている。
【００６８】
又、「処理内容」は、第２放送装置２００に実行させる処理の内容を示す。図４の例では、処理内容が「差替」であることを示している。
又、「処理時期」は、処理内容の示す処理の実行時期を示す。図４の例では、「２００１年５月１日の９時から９時３０分まで」が処理の実行時期であることを示している。
【００６９】
「スポンサー名」は、処理が許容されるデータ放送番組のスポンサーを識別するための識別子である。図４の例では、スポンサー名としてＭ社が示されている。
データ放送送出部１０２は、データ放送番組を構成する各リソースをエンコードし、モジュールパケットデータに分割し、分割した各モジュールパケットデータに所定のＰＩＤ、モジュールＩＤ、リソース名を付加し、データ放送データとして放送部１０３に出力する。
【００７０】
放送部１０３は、エンコーダ部１０１から入力された映像データ、音声データ、データ放送送出部１０２から入力されたデータ放送データの各データを多重化して、トランスポートストリームとして外部及びデータ放送制御信号生成部１０４に出力する。
データ放送制御信号生成部１０４は、制御情報通知部１０５から入力されたデータ放送制御情報をパケットデータ（以下、「制御パケットデータ」という。）に分割し、分割した制御パケットデータに当該データ放送制御情報を識別するための所定のＰＩＤを付与して、放送部１０３から入力されたトランスポートストリームに多重して送信部１０６に出力する。
【００７１】
なお、データ放送制御情報は、専用のパケットデータではなく、データ放送データを伝送するＤＳＭ−ＣＣ(Digital Storage Media - Command and Control)データカルーセル伝送方式において、使用される制御情報であるＤＩＩ（Download Info Indication）に（例えば、ＤＩＩのプライベートデータ領域に）記述されることとしてもよい。又、モジュール形式やリソース形式でＤＤＢ(Download Data Block)に記述されることとしてもよい。
【００７２】
送信部１０６は、データ放送制御信号生成部１０２から制御パケットデータを含むトランスポートストリームを受取り、当該トランスポートストリームを第２放送装置２００にネット回線を介して送信する。
次に第２放送装置の構成について説明する。第２放送装置２００は、制御データ検出部２０１、制御情報取得部２０２、データ処理部２０３、リソースデータ記憶部２０４、受信部２０５、放送部２０６から構成される。
【００７３】
受信部２０５は、送信部１０６からトランスポートストリームを受信し、制御データ検出部２０１及びデータ処理部２０３に出力する。
制御データ検出部２０１は、受信部２０５から入力されたトランスポートストリームから所定のＰＩＤに基いて制御パケットデータを検出し、検出した制御パケットデータを制御情報取得部２０２に出力する。
【００７４】
制御情報取得部２０２は、制御データ検出部２０１から入力された制御パケットデータをデコードし、データ放送制御情報を取得してデータ処理部２０３に出力する。
データ処理部２０３は、制御情報取得部２０２から入力されるデータ放送制御情報に基いて、データ放送番組を構成するリソース又はモジュールの差替処理を行う。
【００７５】
具体的には、データ処理部２０３は、以下のようにしてリソースの差替処理を行う。
データ処理部２０３は、制御情報取得部２０２から入力されるデータ放送制御情報が示す処理時期が到来すると、受信部２０５から入力されるトランスポートストリームをデコードし、データ放送制御情報が示す処理対象ＰＩＤ、処理対象モジュールＩＤを用いて、処理が許容されるモジュールのモジュールパケットデータを特定し、特定したモジュールパケットデータからモジュールを復号し、データ放送制御情報が示すリソース名を用いて差替処理の対象となるリソースを特定し、特定したリソースを削除し、リソースデータ記憶部２０４に記憶されている後述するリソース特定テーブルを参照することにより、差替処理用のリソースを特定し、特定したリソースをリソースデータ記憶部２０４から読出し、読み出した差替処理用リソースを復号したモジュールに追加し、モジュールパケットデータに分割して分割したモジュールパケットデータを、処理対象ＰＩＤ及び処理対象モジュールＩＤによって特定されるモジュール以外の他のモジュールのモジュールパケットデータと共に放送部２０６に出力する。
【００７６】
なお、モジュールの差替処理は、上記の差替処理におけるモジュールの復号処理が不要である点を除くと、リソースの差替処理と同様であり、上記「処理対象リソース名」を「処理対象モジュールＩＤ」と、上記「リソース」を「モジュールを構成するリソース」とそれぞれ読み替えた処理を、データ処理部２０３が行う。
【００７７】
これにより、データ放送制御情報における処理対象リソース名によって特定されるリソースは、リソースデータ記憶部２０４に記憶されている差替処理用リソースと差替えられる。
なお、上記リソースの差替処理は、モジュールパケットデータ単位で行われる。
【００７８】
ここで、出力するモジュールパケットデータには、削除されたモジュールパケットデータに付加されていたものと同じＰＩＤ、モジュールＩＤ、リソース名が付加されて放送部２０６に出力されるものとする。
又、第２放送装置２００は、上記差替処理の終了後、取得したデータ放送制御情報を廃棄することとしてもよい。
【００７９】
リソースデータ記憶部２０４は、リソーステーブルと少なくとも１つ以上の差替処理用リソースを記憶している。
「リソーステーブル」とは、差替処理用リソースを特定するために用いられるテーブルであり、具体的には、差替処理が許容されるリソースのＰＩＤ、モジュールＩＤ及びリソース名と、差替処理が許容されるリソースと差替えるための差替処理用リソースのスポンサー名及びリソース名との対応関係を示すテーブルである。
【００８０】
図６は、リソーステーブルの一例を示す図である。図６に示すテーブルには、差替処理が許容されるリソースのＰＩＤ欄、モジュールＩＤ欄、及びリソース名欄と、対応する差替処理用リソースのスポンサー名欄及び差替処理用リソース名欄とが設けられている。
図４に示すデータ放送制御情報が第２放送装置２００によって受信された場合を例にあげると、データ処理部２０３は、処理対象ＰＩＤ「０００３」、処理対象モジュールＩＤ「０００６」、及びリソース名「Kanto.JPEG」、「Kanto.BML」に基いて、差替処理が行われるべきリソースを特定し、又、特定したリソースの属するデータ放送番組のスポンサーがＭ社であることを特定し、復号後のモジュール「０００６」から、特定したリソースを削除し、更に図６に示すリソース特定テーブルを参照することにより、特定したリソースに対応する差替処理用リソースが、「Ｋａｎｓａｉ．ＪＰＥＧ」、「Ｋａｎｓａｉ．ＢＭＬ」であると特定する。
【００８１】
データ処理部２０３は、特定した差替処理用リソースをリソースデータ記憶部２０４から読出し、読出したリソースを復号したモジュールに追加し、モジュールパケットデータに分割して分割したモジュールパケットデータを、処理対象モジュール「０００６」によって特定されるモジュール以外の他のモジュールのモジュールパケットデータと共に放送部２０６に出力する。
【００８２】
又、リソースデータ記憶部２０４は、少なくとも１つ以上の差替処理用リソースをそれぞれ、スポンサー名と対応付けて記憶している。
放送部２０６は、データ処理部２０３から入力されたモジュールパケットデータを多重化して、トランスポートストリームとして送出し、データ放送番組を放送する。
＜動作＞
次に、データ処理部２０３が行うモジュール差替処理の動作について説明する。図７は、上記の動作を示すフローチャートである。
【００８３】
データ処理部２０３は、制御情報取得部２０２からデータ放送制御情報を取得すると、データ放送制御情報の示す処理内容が「差替」であるか否かを判定し（ステップＳ１００１）、「差替」である場合（ステップＳ１００１：Ｙ）、データ放送制御情報の示す対象地域ＩＤと、データ処理部２０３が保持する地域ＩＤとが一致するか否かにより、対象地域に該当するか否かを判定する（ステップＳ１００２）。
【００８４】
該当する場合（ステップＳ１００２：Ｙ）、現在時刻が、データ放送制御情報の示す処理時期の範囲内に該当しているか否かを判定する（ステップＳ１００３）。
該当している場合（ステップＳ１００３：Ｙ）、受信部２０５から入力されるトランスポートストリームに含まれるモジュールパケットデータの監視をし（ステップＳ１００４）、入力されたモジュールパケットデータのＰＩＤ、モジュールＩＤがデータ放送制御情報の示す処理対象ＰＩＤ、処理対象モジュールＩＤと一致するか否かを判定することにより、当該モジュールパケットデータが差替えられるべきモジュールに該当するか否かを判定する（ステップＳ１００５）。
【００８５】
差替えられるべきモジュールに該当すると判定した場合（ステップＳ１００５：Ｙ）、当該モジュールパケットデータを削除し（ステップＳ１００６）、リソーステーブルを参照し、データ放送制御情報に基いて、削除したモジュールと差替えるための差替処理用モジュールを構成する各リソースを特定し、特定したリソースをリソースデータ記憶部２０４から読出し（ステップＳ１００７）、読出したリソースをモジュールパケットデータに分割して放送部２０６に出力することにより、入力されたトランスポートに含まれる処理対象モジュールを、差替処理用モジュールに差替える（ステップＳ１００８）。
【００８６】
ステップＳ１００１において、処理内容が「差替」でない場合（ステップＳ１００１：Ｎ）又はステップＳ１００２において、対象地域に該当しない場合（ステップＳ１００２：Ｎ）、差替処理を実行することなく、入力されたトランスポートストリームをそのまま放送部２０６に出力する。
ステップＳ１００３において、処理時期の範囲内に該当していない場合（ステップＳ１００３：Ｎ）、処理時期が到来するまで待機する。
【００８７】
ステップＳ１００５において、差替えられるべきモジュールでない場合（ステップＳ１００５：Ｎ）、ステップＳ１００４の処理に戻る。
次にデータ処理部２０３が行うリソース差替処理の動作について説明する。図３４は、上記の動作を示すフローチャートである。
図３４のステップＳ３００１〜ステップＳ３００４については、図７のステップＳ１００１〜ステップＳ１００４と同じであるので説明を省略する。
【００８８】
データ処理部２０３は、モジュールパケットデータのＰＩＤ及びモジュールＩＤがデータ放送制御情報の示す処理対象ＰＩＤ及びモジュールＩＤに該当するか否かを判定することにより、当該モジュールパケットデータがリソース差替処理の対象となるモジュールに該当するか否かを判定する（ステップＳ３００５）。
該当する場合（ステップＳ３００５：Ｙ）、当該モジュールデータを保持し（ステップＳ３００６）、対象となるモジュールを構成する全てのモジュールパケットデータを保持できたか否かを判定する（ステップＳ３００７）。
【００８９】
保持できた場合（ステップＳ３００７：Ｙ）、保持したモジュールパケットデータからモジュールを復号し（ステップＳ３００８）、データ放送制御情報に基いて、リソーステーブルにおいて、差替処理用リソースを特定し、特定した差替処理用リソースをリソースデータ記憶部２０４より読出し（ステップＳ３００９）、データ放送制御情報に含まれる処理対象リソース名によって特定されるリソースを復号したモジュールから削除し、読み出した差替処理用リソースを復号したモジュールに追加し、モジュールパケットデータに分割後、放送部２０６に出力し（ステップＳ３０１０）、データ放送制御情報が示す処理時期が終了したか否かを判定し（ステップＳ３０１１）、終了している場合（ステップＳ３０１１：Ｙ）、リソース差替処理を終了し、終了していない場合（ステップＳ３０１１：Ｎ）は、ステップＳ３００４の処理に戻る。
（実施の形態２）
実施の形態１においては、第１放送装置１００から送信されるリソース又はモジュールの一部を別のリソース又はモジュールと差替え、差替えた内容のデータ放送番組を第２放送装置２００から送出することとしたが、本実施の形態においては、第２放送装置が、第１放送装置から送信されるデータ放送番組に新たなリソース、モジュール又はイベントメッセージを追加して送出することを特徴とする。
【００９０】
ここで、「イベントメッセージ」とは、ＡＲＩＢ  ＳＴＤ−Ｂ２４に規定されているイベントメッセージ伝送方式に従って伝送されるメッセージのことであり、放送局から送信され、受信装置で動作しているアプリケーションに対して、即時に、或いは指定した時間に、動作しているアプリケーションにメッセージで指定する動作を実行するように指示するためのメッセージのことをいう。
【００９１】
具体的には、イベントメッセージは、上記アプリケーションが実行されることによって表示されている画面にイベントメッセージに記述されているメッセージの内容を表示させたり、イベントメッセージをトリガーとして、アプリケーションに予め指定された処理を実行させたりする。
＜構成＞
図８は、本実施の形態２におけるデータ放送番組制御システム２の主要部の構成を示す。データ放送番組制御システム２は、第１放送装置３００と第２放送装置４００から構成される。なお、第１放送装置３００及び第２放送装置４００は、複数であってもよい。
【００９２】
第１放送装置３００は、エンコーダ部１０１、データ放送送出部１０２、放送部１０３、データ放送制御信号生成部１０４、制御情報通知部３０５、送信部１０６から構成される。なお、図１に示された実施の形態１における第１放送装置１００と同一の構成要素については同一の符号を付し、以下相違点を中心に説明する。
【００９３】
制御情報通知部３０５は、実施の形態１における制御情報通知部１０５と同様の機能を有するが、データ放送制御信号生成部１０４に出力するデータ放送制御情報の内容が実施の形態１の場合と異なる。
ここで、「データ放送制御情報」とは、第１放送装置から送信されるデータ放送番組に新たなモジュール、リソース若しくはイベントメッセージを追加するための情報のことをいう（以下、上記のように、追加されるモジュール、リソース、イベントメッセージを総称して「追加データ」と呼ぶ。）。
【００９４】
以下、上記のデータ放送制御情報を、実施の形態１におけるデータ放送制御情報と区別するために、「追加制御情報」と呼ぶ。
図９は、追加制御情報の一例を示す図である。追加制御情報は、対象地域ＩＤ、処理対象ＰＩＤ、処理対象モジュールＩＤ、処理内容、処理時期、送出間隔、追加データタイプを示す情報から構成される。
【００９５】
「対象地域ＩＤ」は、処理内容の示す処理が許容される地域を特定するための識別子である。
「処理対象ＰＩＤ」は、第１放送装置３００から送信されるトランスポートストリームにおいて、処理が許容されるデータ放送番組を特定するＰＩＤである。図９の例では、処理対象ＰＩＤは、「００３」である。
【００９６】
「処理対象モジュールＩＤ」は、処理対象ＰＩＤによって特定されるデータ放送番組において、処理が許容されるモジュールを特定するモジュールＩＤである。図９の例では、処理対象モジュールＩＤは、「０００６」である。
「処理内容」は、第２放送装置４００に実行させる処理の指示内容を示す。図９の例では、処理内容は、「追加」である。
【００９７】
「処理時期」は、処理内容の示す処理の実行時期を示す。図９の例では、処理時期は、「２００１年５月１日の９時から９時３０分まで」である。
「送出間隔」は、第２放送装置４００が追加データを放送する時間間隔を示す。なお、送出間隔は、追加データタイプがモジュール又はイベントメッセージの場合に指示される。図９の例では、追加データタイプがリソースであるので、送出間隔は指示されていない。
【００９８】
「追加データタイプ」は、追加するデータタイプがモジュールであるかリソースであるか若しくはイベントメッセージであるかを示す。図９の例では、追加するデータタイプは、「リソース」である。
なお、追加データタイプがモジュール又はイベントメッセージの場合は、「処理対象ＰＩＤ及びモジュールＩＤは指示されないものとする。
【００９９】
第２放送装置４００は、制御データ検出部２０１、制御情報取得部２０２、データ処理部４０３、リソースデータ記憶部４０４、受信部２０５、放送部４０６から構成される。
なお、図１に示された実施の形態１における第２放送装置２００と同一の構成要素については同一の符号を付し、以下相違点を中心に説明する。
【０１００】
データ処理部４０３は、制御情報取得部２０２から入力される追加制御情報に基いて、追加データの追加処理を行う。
具体的には、制御情報取得部２０２から入力される追加制御情報が示す処理時期が到来すると、データ処理部４０３は、以下に示すように動作する。
追加制御情報の示す追加データタイプが「モジュール」又は「リソース」であることを示す場合、現在時刻が送出時間帯の範囲内に該当するリソースを特定し、特定したリソースをリソースデータ記憶部４０４より読出し、読出したリソースをモジュールパケットデータに分割し、分割した各モジュールパケットデータに特定したＰＩＤ、モジュールＩＤ、リソース名を付加して放送部４０６に出力し、更に追加データタイプがモジュールである場合には、追加制御情報の示す送出間隔に従ってモジュールパケットデータを放送部４０６に出力する。
【０１０１】
一方、追加データタイプがイベントメッセージであることを示す場合、現在時刻が送出時間帯の範囲内に該当するイベントメッセージをリソースデータ記憶部４０４より読出し、読出したイベントメッセージを追加制御情報が示す送出間隔に従って放送部４０６に出力する。
ここで、データ処理部４０３は、モジュール又はリソースの追加に伴い、ＤＩＩに記述されているモジュール情報（モジュール数、モジュールＩＤ、モジュール長（バイト長）等の情報）を書換える。
【０１０２】
又、データ処理部４０３は、上記追加を行う毎に、モジュール情報を更新する。
又、目次情報には、「モジュール情報に含まれている各モジュールＩＤへのリンク指定をユーザーから受付けるためのリンクボタンを表示させる」スクリプトが記述されているものとする。
【０１０３】
これにより、ユーザーは、目次情報の示すリンクボタンを選択することにより、追加されたモジュールのリソースの示す画像を視聴することができる。
更に、データ処理部４０３は、受信部２０３から入力されたトランスポートストリームを放送部４０６に出力する。
リソースデータ記憶部４０４は、追加モジュールテーブルと追加リソーステーブルと少なくとも１つ以上のリソースと少なくとも１つ以上のイベントメッセージとを記憶している。
【０１０４】
「追加モジュールテーブル」とは、追加するモジュールを特定するために用いられるテーブルであり、具体的には、送出時間帯と追加用モジュールとの対応関係を示すテーブルである。
ここで、「送出時間帯」とは、送出開始時間と送出終了時間により指定される送出時間の時間範囲のことをいう。送出開始時間と送出終了時間は、西暦及び日時によって指定される。
【０１０５】
図１０Ａは、追加モジュールテーブルの一例を示す図である。図１０（Ａ）に示す追加モジュールテーブルには、送出時間帯欄とモジュールＩＤ欄が設けられている。
図１０Ｂは、追加リソーステーブルの一例を示す図である。図１０（Ｂ）に示す追加リソーステーブルには、送出時間帯欄とリソース名欄が設けられている。
【０１０６】
図９に示す追加制御情報が放送装置４００によって受信された場合を例にあげると、データ処理部４０３は、追加制御情報が示す処理時期が到来すると、図１０Ｂの追加リソーステーブルを参照することにより、現在時刻が送出時間帯の範囲内に該当する、リソース「ＣＭ．ＢＭＬ」とリソース「ＣＭ．ＪＰＥＧ」を特定する。
【０１０７】
又、リソースデータ記憶部４０４は、各追加用リソースを、当該追加用リソースに付加されるべきＰＩＤ、モジュールＩＤ及びリソース名と対応付けて記憶し、各追加用イベントメッセージを送出時間帯と対応付けて記憶している。
ここで、同一のモジュールを構成する各追加用リソースには、同一のモジュールＩＤが対応付けられている。
【０１０８】
放送部４０６は、データ処理部４０３から入力された追加のモジュールパケットデータをデータ処理部４０３から入力されたトランスポートストリームに多重化して出力する。
＜動作＞
データ処理部４０３が行う追加データ追加処理の動作について、以下に説明する。図１１は、追加データ追加処理の動作を示すフローチャートである。
【０１０９】
データ処理部４０３は、制御情報取得部２０２から追加制御情報を取得すると、追加制御情報の示す処理内容が「追加」であるか否かを判定し（ステップＳ１２０１）、「追加」である場合（ステップＳ１２０１：Ｙ）、追加制御情報の示す対象地域ＩＤと、データ処理部４０３が保持する地域ＩＤとが一致するか否かにより、対象地域に該当するか否かを判定する（ステップＳ１２０２）。
【０１１０】
該当する場合（ステップＳ１２０２：Ｙ）、現在時刻が追加制御情報の示す処理時期の範囲内か否かを判定する（ステップＳ１２０３）。
範囲内である場合（ステップＳ１２０３：Ｙ）、追加制御情報の示す追加データタイプを判定し(ステップＳ１２０４)、追加データタイプが「モジュール」である場合、モジュール追加処理（ステップＳ１２０５）を行い、追加データタイプが「リソース」である場合、リソース追加処理（ステップＳ１２０６）を行い、追加データタイプが「イベントメッセージ」である場合、イベントメッセージ追加処理を行う（ステップＳ１２０７）。
【０１１１】
次に、データ処理部４０３が行うモジュール追加処理（ステップＳ１２０５）について以下に説明する。図１２は、モジュール追加処理を示すフローチャートである。
データ処理部４０３は、リソースデータ記憶部４０４に記憶されている追加モジュールテーブルを参照することにより、現在時刻が送出時間帯の範囲内に該当するモジュールを特定し（ステップＳ１２０８）、特定したモジュールを構成する各リソースを、当該リソースに対応付けられているＰＩＤ、モジュールＩＤ、とともにリソースデータ記憶部４０４より読出し（ステップＳ１２０９）、読み出した各リソースからモジュールを作成し、作成したモジュールをモジュールパケットデータに分割し、分割した各モジュールパケットデータに対応するＰＩＤ、モジュールＩＤを付加し、追加制御情報が示す送出間隔に従って受信部２０３から入力されたトランスポートストリームに追加して放送部４０６に出力し（ステップＳ１２１０）、追加制御情報が示す処理時期が終了したか否かを判定し（ステップＳ１２１２）、終了している場合（ステップＳ１２１２：Ｙ）、モジュール追加処理を終了し、終了していない場合（ステップＳ１２１２：Ｎ）は、ステップＳ１２０８の処理に戻る。
【０１１２】
次にデータ処理部４０３が行うリソース追加処理（ステップＳ１２０６）について以下に説明する。図２９は、データ処理部４０３が行うリソース追加処理（ステップＳ１２０６）を示すフローチャートである。
データ処理部４０３は、受信部２０５より入力されるモジュールパケットデータを監視し（ステップＳ１２１３）、入力されるモジュールパケットデータが追加制御情報の示す処理対象ＰＩＤ及び処理対象モジュールＩＤに該当するか否かを判定することにより、当該モジュールパケットデータがリソース追加処理の対象となるモジュールに該当するか否かを判定する（ステップＳ１２１４）。
【０１１３】
該当する場合（ステップＳ１２１４：Ｙ）、当該モジュールデータを保持し（ステップＳ１２１５）、対象となるモジュールを構成する全てのモジュールパケットデータを保持できたか否かを判定する（ステップＳ１２１６）。
保持できた場合（ステップＳ１２１６：Ｙ）、保持したモジュールパケットデータにより構成されるモジュールを復号し（ステップＳ１２１７）、リソースデータ記憶部４０４に記憶されている追加リソーステーブルを参照することにより、現在時刻が送出時間帯の範囲内に該当するリソースを特定し（ステップＳ１２１８）、特定したリソースをリソースデータ記憶部４０４より読出し（ステップＳ１２１９）、読み出したリソースを復号したモジュールに追加し、モジュールパケットデータに分割後、放送部４０６に出力し（ステップＳ１２２０）、追加制御情報が示す処理時期が終了したか否かを判定し（ステップＳ１２２１）、終了している場合（ステップＳ１２２１：Ｙ）、リソース追加処理を終了し、終了していない場合（ステップＳ１２２１：Ｎ）は、ステップＳ１２１３の処理に戻る。
【０１１４】
次に、データ処理部４０３が行うイベントメッセージ追加処理（ステップＳ１２０７）について以下に説明する。図３０は、イベントメッセージ追加処理を示すフローチャートである。
データ処理部４０３は、リソースデータ記憶部４０４から、現在時刻が送出時間帯の範囲内に該当するイベントメッセージを読出し（ステップＳ１２２２）、読み出したイベントメッセージを追加制御情報が示す送出間隔に従って、受信部２０３から入力されたトランスポートストリームに追加して放送部４０６に出力し（ステップＳ１２２３）、追加制御情報が示す処理時期が終了したか否かを判定し（ステップＳ１２２５）、終了している場合（ステップＳ１２２５：Ｙ）、モジュール追加処理を終了し、終了していない場合（ステップＳ１２２５：Ｎ）は、ステップＳ１２２２の処理に戻る。
【０１１５】
これにより、第１放送装置３００から送信される追加制御情報に基いて、第２放送装置４００が、第１放送装置３００から送信されるトランスポートストリームにモジュール、リソース又はイベントメッセージを追加することができる。
（実施の形態３）
実施の形態１においては、第１放送装置１００から送信されるリソース又はモジュールの一部を別のリソース又はモジュールと差替え、差替えた内容のデータ放送番組を第２放送装置２００から送出することとしたが、本実施の形態においては、第２放送装置が、第１放送装置から送信されるモジュール又はリソースの一部を削除し、削除した内容のデータ放送番組を送出することを特徴とする。
＜構成＞
図１３は、本実施の形態３におけるデータ放送番組制御システム３の主要部の構成を示す。データ放送番組制御システム３は、第１放送装置５００と第２放送装置６００から構成される。なお、第１放送装置５００及び第２放送装置６００は、複数であってもよい。
【０１１６】
第１放送装置５００は、実施の形態１における第１放送装置１００と同一の構成要素から構成されるので、説明を省略する。
第２放送装置６００は、制御データ検出部２０１、制御情報取得部２０２、データ処理部６０３、受信部２０５、放送部２０６から構成される。
なお、図１に示された実施の形態１における第２放送装置２００と同一の構成要素については同一の符号を付し、以下相違点を中心に説明する。
【０１１７】
データ処理部６０３は、制御情報取得部２０２から入力される追加制御情報に基いて、モジュール又はリソースの削除処理を行う。
具体的には、モジュールの削除処理は、以下に示すように実行される。
データ処理部６０３は、制御情報取得部２０２から入力されるデータ放送制御情報が示す処理時期が到来すると、受信部２０５から入力されるトランスポートストリームをデコードし、データ放送制御情報が示す処理対象ＰＩＤ、処理対象モジュールＩＤに基いて、削除されるべきモジュールを構成するモジュールパケットデータを特定し、特定したモジュールパケットデータを削除し、受信部２０５から入力されたトランスポートストリームに含まれる、特定したモジュールデータ以外のパケットデータを放送部２０６に出力する。
【０１１８】
又、リソースの削除処理においては、制御情報取得部２０２から入力されるデータ放送制御情報が示す処理時期が到来すると、受信部２０５から入力されるトランスポートストリームをデコードし、データ放送制御情報が示す処理対象ＰＩＤ、処理対象モジュールＩＤに基いて、削除されるべきモジュールを構成するモジュールパケットデータを特定し、特定したモジュールパケットデータからモジュールを復号し、データ放送制御情報が示す処理対象リソース名のリソースを特定し、特定したリソースを削除する。
【０１１９】
ここで、上記においては、制御情報取得部２０２から入力されるデータ放送制御情報が示す「処理内容」は、「削除」を示しているものとする。この場合のデータ制御情報の一例を図１４に示す。図１４の例では、「処理内容」が「削除」になっている点及び「スポンサー名」が含められていない点において、図４の例に示すデータ制御情報の内容と異なっている。
【０１２０】
なお、データ放送制御情報において、処理対象ＰＩＤのみを指示し、処理対象モジュールＩＤ、処理対象リソース名を指示しないこととしてもよい。
又、モジュールの削除処理の場合には、処理対象リソース名の指示はなくてもよい。
これにより、第１放送装置５００から送信されたデータ放送番組のうち、第２放送装置６００で送出するものとしないものを指定することができる。
＜動作＞
次に、データ処理部６０３が行うモジュール削除処理の動作について以下に説明する。図１５は、モジュール削除処理の動作を示すフローチャートである。
【０１２１】
データ処理部６０３は、制御情報取得部２０２からデータ放送制御情報を取得すると、データ放送制御情報の示す処理内容が「削除」であるか否かを判定し（ステップＳ１６０１）、「削除」である場合（ステップＳ１６０１：Ｙ）、データ放送制御情報の示す対象地域ＩＤと、データ処理部６０３が保持する地域ＩＤとが一致するか否かにより、対象地域に該当するか否かを判定する（ステップＳ１６０２）。
【０１２２】
該当する場合（ステップＳ１６０２：Ｙ）、現在時刻がデータ放送制御情報の示す処理時期の範囲内に該当しているか否かを判定する（ステップＳ１６０３）。
該当している場合（ステップＳ１６０３：Ｙ）、受信部２０５から入力されるトランスポートストリームに含まれるモジュールパケットデータの監視をお行い（ステップＳ１６０４）、入力されたモジュールパケットデータのＰＩＤ、モジュールＩＤがデータ放送制御情報の示す処理対象ＰＩＤ、処理対象モジュールＩＤと一致するか否かを判定することにより、当該モジュールパケットデータが削除されるべきモジュールに該当するか否かを判定する（ステップＳ１６０５）。
【０１２３】
該当する場合（ステップＳ１６０５：Ｙ）、当該モジュールパケットデータを削除する（ステップＳ１６０６）。
ステップＳ１６０１において、処理内容が「削除」でない場合(ステップＳ１６０１：Ｎ)又はステップＳ１６０２において、対象地域に該当しない場合（ステップＳ１６０２：Ｎ）、削除処理を実行することなく、入力されたトランスポートストリームをそのまま放送部２０６に出力する。
【０１２４】
ステップＳ１６０３において、処理時期の範囲内に該当していない場合（ステップＳ１６０３：Ｎ）、処理時期が到来するまで待機する。
ステップＳ１６０５において、削除されるべきモジュールに該当しない場合（ステップＳ１６０５：Ｎ）、ステップＳ１６０４の処理に戻る。
なお、上記において、モジュールを削除する代わりに、イベントメッセージを削除することとしてもよい。この場合、データ放送制御情報は、処理対象モジュールＩＤの代わりに、削除されるべきイベントメッセージを特定するための処理対象イベントメッセージＩＤを含み、イベントメッセージの削除処理については、図１５のフローチャートにおいて、「モジュール」を「イベントメッセージ」に読み替えると、図１５に示すモジュール削除処理の動作と同様であるので、説明を省略する。
【０１２５】
次にデータ処理部６０３が行うリソース削除処理の動作について以下に説明する。図３５は、リソース削除処理の動作を示すフローチャートである。
ステップＳ３６０１〜ステップＳ３６０８及びステップＳ３６１０における処理は、図３４に示すリソース差替処理のステップＳ３００１〜ステップＳ３００８及びステップＳ３０１１における処理と同様であるので説明を省略する。
【０１２６】
データ処理部６０３は、データ放送制御情報に基いて、復号したモジュールに含まれる処理対象リソースを削除し（ステップＳ３６０９）、処理対象リソースを削除したモジュールをモジュールパケットデータに分割後、放送部２０６に出力する。
（実施の形態４）
実施の形態１においては、第２放送装置２００が差替処理を行うための差替処理用リソースを記憶していることとしたが、本実施の形態においては、第１放送装置が差替処理用リソースをデータ放送制御情報と伴に、第２放送装置に送信することを特徴とする。
＜構成＞
図１６は、本実施の形態４におけるデータ放送番組制御システム４の主要部の構成を示す。データ放送番組制御システム４は、第１放送装置７００と第２放送装置８００から構成される。なお、第１放送装置７００及び第２放送装置８００は、複数であってもよい。
【０１２７】
第１放送装置７００は、エンコーダ部１０１、制御情報通知部７０５、データ放送制御信号生成部７０４、送信部１０６、データ放送送出部１０２、放送部１０３から構成される。なお、図１に示された実施の形態１における第１放送装置１００と同一の構成要素については同一の符号を付し、以下相違点を中心に説明する。
【０１２８】
制御情報通知部７０５は、オペレータからデータ放送制御情報と差替処理用リソースの入力を受けつけ、入力されたデータ放送制御情報と差替処理用リソースをデータ放送制御信号生成部１０４に出力する。
なお、差替処理用リソースをデータ放送制御情報に含めることとしてもよい。
ここで、出力されるデータ放送制御情報には、実施の形態１におけるデータ放送制御情報の内容に加え、差替処理用リソース名を示す情報が含まれる。図１７は、上記データ放送制御情報の一例を示す図である。
【０１２９】
「差替処理用リソース名」は、差替処理用リソースを識別するための識別子であり、差替処理用リソースに付加されている。
なお、データ放送制御情報と差替処理用リソースをオペレータが入力する代わりに、予めメモリに記憶させておいて、設定した時間に制御情報通知部７０５がデータ放送制御情報と差替処理用リソースを読出し、データ放送制御信号生成部７０４に出力することとしてもよい。
【０１３０】
データ放送制御信号生成部７０４は、制御情報通知部７０５から入力されたデータ放送制御情報と差替処理用リソースをパケットデータに分割して制御パケットデータを作成し、当該制御パケットデータに所定のＰＩＤを付与し、放送部１０３から入力されたトランスポートストリームに多重して送信部１０６に出力する。
【０１３１】
第２放送装置８００は、制御データ検出部８０１、制御情報取得部８０２、データ処理部８０３、受信部２０５、放送部２０６から構成される。
なお、図１に示された実施の形態１における第２放送装置２００と同一の構成要素については同一の符号を付し、以下相違点を中心に説明する。
制御データ検出部８０１は、受信部２０５から入力されたトランスポートストリームから所定のＰＩＤに基いて制御パケットデータを検出し、検出した制御パケットデータを制御情報取得部８０２に出力する。
【０１３２】
制御情報取得部８０２は、制御データ検出部８０１から入力された制御パケットデータをデコードし、データ放送制御情報と差替処理用リソースをそれぞれ取得してデータ処理部８０３に出力する。
データ処理部８０３は、制御情報取得部８０２から入力されるデータ制御情報に基いて、データ放送番組を構成するモジュール又はリソースの差替処理を行う。
【０１３３】
具体的には、モジュールの差替処理は、以下に示すように実行される。
データ処理部８０３は、制御情報取得部８０２から入力されるデータ放送制御情報が示す処理時期が到来すると、受信部２０５から入力されるトランスポートストリームをデコードし、データ放送制御情報が示す処理対象ＰＩＤ、処理対象モジュールＩＤ基いて、差替えられるべきモジュールを構成するモジュールパケットデータを特定し、特定したモジュールパケットデータを削除し、制御情報取得部８０２から、削除したモジュールと差替えるべきモジュールを構成する各差替処理用リソースを取得し、取得した差替処理用リソースからモジュールを作成し、作成したモジュールをモジュールパケットデータに分割し、分割したモジュールパケットデータを放送部２０６に出力する。
【０１３４】
一方、リソースの差替処理は、以下に示すように実行される。
データ処理部２０３は、制御情報取得部２０２から入力されるデータ放送制御情報が示す処理時期が到来すると、受信部２０５から入力されるトランスポートストリームをデコードし、データ放送制御情報が示す処理対象ＰＩＤ、処理対象モジュールＩＤに基いて、差替えられるべきリソースを含むモジュールのモジュールパケットデータを特定し、特定したモジュールパケットデータからモジュールを復号し、データ放送制御情報が示す処理対象リソース名によって特定されるリソースを特定し、特定したリソースを削除し、データ放送制御情報の示す差替処理用リソース名によって差替処理用リソースを特定し、特定した差替処理用リソースを制御情報取得部８０２から取得し、取得した差替処理用リソースを復号したモジュールに追加し、モジュールパケットデータに分割後、放送部２０６に出力する。
【０１３５】
ここで、出力するモジュールパケットデータには、削除されたモジュールパケットデータに付加されていたものと同じＰＩＤ、モジュールＩＤ、リソース名が付加されて放送部２０６に出力されるものとする。
これにより、目次情報の内容を変更することなく、データ放送受信装置において、差替えられたリソースの示す情報をユーザーに選択させることができる。
【０１３６】
なお、上記において、リソース名によって差替処理用モジュールを特定したが、差替処理用モジュールＩＤをデータ放送制御情報に含ませ、当該モジュールＩＤによって差替処理用モジュールを特定することとしてもよい。
＜動作＞
次に、データ処理部８０３が行うモジュール差替処理の動作について以下に説明する。図１８は、モジュール差替処理の動作を示すフローチャートである。
【０１３７】
データ処理部８０３は、制御情報取得部８０２からデータ放送制御情報を取得すると、データ放送制御情報の示す処理内容が「差替」であるか否かを判定し（ステップＳ１９０１）、「差替」である場合（ステップＳ１９０１：Ｙ）、データ放送制御情報の示す対象地域ＩＤと、データ処理部８０３が保持する地域ＩＤとが一致するか否かにより、対象地域に該当するか否かを判定する（ステップＳ１９０２）。
【０１３８】
該当する場合（ステップＳ１９０２：Ｙ）、現在時刻がデータ放送制御情報の示す処理時期の範囲内に該当しているか否かを判定する（ステップＳ１９０３）。
該当している場合（ステップＳ１９０３：Ｙ）、受信部２０５から入力されるトランスポートストリームに含まれるモジュールパケットデータの監視を行い（ステップＳ１９０４）、入力されたモジュールパケットデータのＰＩＤ、モジュールＩＤがデータ放送制御情報の示す処理対象ＰＩＤ、処理対象モジュールＩＤと一致するか否かを判定することにより、当該モジュールパケットデータが差替えられるべきモジュールに該当するか否かを判定する（ステップＳ１９０５）。
【０１３９】
差替えられるべきモジュールに該当する場合（ステップＳ１９０５：Ｙ）、当該モジュールパケットデータを削除し（ステップＳ１９０６）、データ放送制御情報の示す差替処理用リソース名に基いて、差替処理用モジュールを構成する各差替処理用リソースを特定し、特定した各差替処理用リソースから構成される差替処理用モジュールを制御情報取得部８０２から取得し（ステップＳ１９０７）、取得したモジュールをモジュールパケットデータに分割して放送部２０６に出力することにより、入力されたトランスポートストリームに含まれる処理対象モジュールを差替処理用モジュールに差替える（ステップＳ１９０８）。
【０１４０】
ステップＳ１９０２において、対象地域に該当しない場合（ステップＳ１９０２：Ｎ）、差替処理を実行することなく、入力されたトランスポートストリームをそのまま放送部２０６に出力する。
ステップＳ１９０３において、処理時期の範囲内に該当していない場合（ステップＳ１９０３：Ｎ）、実行時期が到来するまで待機する。
【０１４１】
ステップＳ１９０５において、差替えられるべきモジュールに該当しない場合（ステップＳ１９０５：Ｎ）、ステップＳ１９０４の処理に戻る。
なお、モジュールを差替える代わりに、イベントメッセージを差替処理用イベントメッセージと差替えることとしてもよい。この場合、データ放送制御情報は、差替えられるべきイベントメッセージを特定するための処理対象イベントメッセージＩＤと差替処理用イベントメッセージを特定するための差替処理用イベントメッセージＩＤと当該差替処理用イベントメッセージＩＤと対応付けられている差替処理用イベントメッセージとを含むこととする。イベントメッセージの差替処理については、図１８のフローチャートにおいて、「モジュール」を「イベントメッセージ」に読み替えると、図１８に示すモジュール差替処理の動作と同様であるので、説明を省略する。
【０１４２】
次にデータ処理部８０３が行うリソース差替処理の動作について説明する。図３６は、リソース差替処理の動作を示すフローチャートである。
ステップＳ３９０１〜ステップＳ３９０８及びステップＳ３９１１における処理は、図３４に示すリソース差替処理の動作を示すフローチャートにおけるステップＳ３００１〜ステップＳ３００８及びステップＳ３０１１における処理と同様であるので説明を省略する。
【０１４３】
データ処理部８０３は、データ放送制御情報の示す差替処理用リソース名によって特定される差替処理用リソースを制御情報取得部８０２から取得し（ステップＳ３９０９）、復号したモジュールに含まれる処理対象リソースを削除し、取得した差替処理用リソースを復号したモジュールに追加し、モジュールパケットデータに分割後、放送部２０６に出力する。
（実施の形態５）
実施の形態２においては、第２放送装置４００が追加処理を行うための追加用のモジュール、リソース、イベントメッセージを記憶していることとしたが、本実施の形態においては、第１放送装置が追加用のモジュール、リソース、イベントメッセージを追加制御情報と伴に、第２放送装置に送信することを特徴とする。
＜構成＞
図１９は、本実施の形態５におけるデータ放送番組制御システム５の主要部の構成を示す。データ放送番組制御システム５は、第１放送装置９００と第２放送装置１０００から構成される。なお、第１放送装置９００及び第２放送装置１０００は、複数であってもよい。
【０１４４】
第１放送装置９００は、エンコーダ部１０１、データ放送創出部１０２、放送部１０３、データ放送制御信号生成部９０４、制御情報通知部９０５、送信部１０６から構成される。なお、図９に示された実施の形態２における第１放送装置３００と同一の構成要素については同一の符号を付し、以下相違点を中心に説明する。
【０１４５】
制御情報通知部９０５は、オペレータから追加制御情報と追加データの入力を受けつけ、入力された追加制御情報と追加データをデータ放送制御信号生成部９０４に出力する。
なお、追加処理用データを追加制御情報に含めることとしてもよい。
ここで、出力される追加制御情報には、実施の形態２における追加制御情報の内容に加え、追加データ名を示す情報が含まれる。
【０１４６】
図２０は、上記追加制御情報の一例を示す図である。
「追加データ名」は、追加データを識別するための識別子であり、追加データに付加されている。
なお、追加データがモジュールの場合には、モジュールを構成する全てのリソース名が追加データ名として指定される。又は、追加データ名を指定せず、追加処理用ＰＩＤと追加処理用モジュールＩＤとによって当該モジュールを特定することとしてもよい。追加データがリソースの場合には、追加すべきリソース名が追加データ名として指定される。追加データが、イベントメッセージの場合には、イベントメッセージを識別するための識別子が追加データ名として指定される。
【０１４７】
又、追加制御情報と追加データをオペレータが入力する代わりに、予めメモリに記憶させておいて、設定した時間に制御情報通知部９０５が追加制御情報と追加データを読出し、データ放送制御信号生成部９０４に出力することとしてもよい。
データ放送制御信号生成部９０４は、制御情報通知部９０５から入力された追加制御情報と追加データをパケットデータに分割して制御パケットデータを作成し、当該制御パケットデータに所定のＰＩＤを付与し、放送部１０３から入力されたトランスポートストリームに多重化して送信部１０６に出力する。
【０１４８】
第２放送装置１０００は、制御データ検出部１００１、制御情報取得部１００２、データ処理部１００３、受信部２０５、放送部４０６から構成される。
なお、図９に示された実施の形態２における第２放送装置４００と同一の構成要素については同一の符号を付し、以下相違点を中心に説明する。
制御データ検出部１００１は、受信部２０５から入力されたトランスポートストリームから所定のＰＩＤに基いて制御パケットデータを検出し、検出した制御パケットデータを制御情報取得部１００２に出力する。
【０１４９】
制御情報取得部１００２は、制御データ検出部１００１から入力された制御パケットデータをデコードし、追加制御情報と追加データをそれぞれ取得してデータ処理部１００３に出力する。
データ処理部１００３は、制御情報取得部１００２から入力される追加制御情報に基いて、以下に示すように追加データ追加処理を行う。
【０１５０】
データ処理部１００３は、制御情報取得部１００２から入力される追加制御情報が示す処理時期が到来すると、当該追加制御情報が示す追加処理用データ名に基いて、追加データを特定し、特定した追加データを制御情報取得部１００２から取得し、取得した追加データをモジュールパケットデータに分割し、分割したモジュールパケットデータを追加制御情報が示す送出間隔に従って放送部４０６に出力する。
【０１５１】
ここで、出力するモジュールパケットデータには、追加制御情報の示す処理対象ＰＩＤ、処理対象モジュールＩＤ、及び追加データ名が付加されて出力されるものとする。
データ処理部１００３の行うその他の機能については、実施の形態２におけるデータ処理部４０３の場合と同様であるので、説明を省略する。
＜動作＞
次に、データ処理部１００３が行う追加データ追加処理の動作について説明する。図２１は、追加データ追加処理の動作を示すフローチャートである。図２１に示すフローチャートは、モジュール追加処理（ステップＳ２２０５）、リソース追加処理（ステップＳ２２０６）及びイベントメッセージ追加処理（ステップ２２０７）の内容を除くと、図１１に示すフローチャートと同じであるので、図２１のフローチャートの説明を省略し、以下、各追加処理について説明する。
【０１５２】
最初に、データ処理部１００３の行うモジュール追加処理について説明する。
図３１は、データ処理部１００３が行うモジュール追加処理を示すフローチャートである。
データ処理部１００３は、制御情報取得部１００２から入力された追加制御情報の示す追加データ名に基いて、追加されるべきモジュール（モジュールを構成する全てのリソース）を特定し（ステップＳ２２０８）、特定したモジュールを制御情報取得部１００２から取得し（ステップＳ２２０９）、取得したモジュールをモジュールパケットデータに分割し、分割した各モジュールパケットデータに追加制御情報の示す処理対象ＰＩＤ、処理対象モジュールＩＤ、追加データ名（ここでは、各リソース名）を付加して、追加制御情報が示す送出間隔に従って、受信部２０３から入力されたトランスポートストリームに追加して放送部４０６に出力する（ステップＳ２２１０）。
【０１５３】
次にデータ処理部１００３が行うリソース追加処理（ステップＳ２２０６）について説明する。図３２は、リソース追加処理（ステップＳ２２０６）を示すフローチャートである。
データ処理部１００３は、制御情報取得部１００２より入力されるモジュールパケットデータを監視し（ステップＳ２２１２）、入力されるモジュールパケットデータのＰＩＤ及びモジュールＩＤが、制御情報取得部２２１３から入力された追加制御情報の示す処理対象ＰＩＤ及び処理対象モジュールＩＤに該当するか否かを判定することにより、当該モジュールパケットデータがリソース追加処理の対象となるモジュールに該当するか否かを判定する（ステップＳ２２１３）。
【０１５４】
該当する場合（ステップＳ２２１３：Ｙ）、当該モジュールパケットデータを保持し（ステップＳ２２１４）、リソース追加処理の対象となるモジュールを構成する全てのモジュールパケットデータを保持できたか否かを判定する（ステップＳ２２１５）。
保持できた場合（ステップＳ２２１５：Ｙ）、保持したモジュールパケットデータにより構成されるモジュールを復号し（ステップＳ２２１６）、制御情報取得部１００２から、入力された追加制御情報の示す追加データ名によって特定されるリソースを取得し（ステップＳ２２１７）、取得したリソースを復号したモジュールに追加し、モジュールパケットデータに分割後、放送部４０６に出力する（ステップＳ２２１８）。
【０１５５】
次に、データ処理部１００３が行うイベントメッセージ追加処理（ステップＳ２２０７）について説明する。図３３は、イベントメッセージ追加処理を示すフローチャートである。
データ処理部１００３は、制御情報取得部１００２から入力された追加制御情報の示す追加処理用データ名に基いて、追加すべきイベントメッセージを特定し（ステップＳ２２１９）、特定したイベントメッセージを制御情報取得部１００２から取得し（ステップＳ２２２０）、取得したイベントメッセージを受信部２０３から入力されたトランスポートストリームに追加して、追加制御情報が示す送出間隔に従って放送部４０６に出力する（ステップＳ２２２１）。
＜補足＞
以上、本発明に係るデータ放送番組制御システムについて、実施の形態１〜５に基づいて説明したが、本発明はこれら実施の形態に限られないことは勿論である。以下に実施の形態における変形例を示す。
（１）第１放送装置の構成は、以下に示す変形例の構成としてもよい。
【０１５６】
変形例１：図２２は、第１放送装置１１００の構成を示す機能ブロック図である。第１放送装置１１００は、エンコーダ部１０１、データ放送送出部１０２、放送部１０３、データ放送制御信号生成部１１０４、制御情報通知部１０５、送信部１１０６から構成される。
なお、図１に示された実施の形態１における第１放送装置１００と同一の構成要素については同一の符号を付し、以下相違点を中心に説明する。
【０１５７】
データ放送制御信号生成部１１０４は、第１放送装置１１００に入力される映像信号の特定の水平走査期間に、制御情報通知部１０５から入力されるデータ放送制御情報を映像信号に重畳し、重畳した信号を送信部１１０６に出力する。
送信部１１０６は、データ送出部１０２から入力されたデータ放送データとデータ放送制御信号生成部１１０４から入力され、データ放送制御情報が重畳された映像信号とをそれぞれ別々に第２放送装置に送信する。
【０１５８】
上記において、制御情報通知部１０５を制御情報通知部３０５、制御情報通知部７０５及び制御情報通知部９０５の何れかとしてもよい。
本変形例は、本実施の形態１〜５の第１放送装置に代用することができる。
変形例２：図２３は、第１放送装置１２００の構成を示す機能ブロック図である。第１放送装置１２００は、エンコーダ部１０１、データ放送送出部１０２、放送部１０３、データ放送制御信号生成部１２０４、制御情報通知部１０５、送信部１２０６から構成される。
【０１５９】
データ放送制御信号生成部１２０４は、エンコーダ部１０１から入力される映像及び音声データに、制御情報通知部１０５から入力されるデータ放送制御情報を多重化し、多重化した信号を送信部１２０６に出力する。
ここで、データ放送制御信号生成部１２０４は、データ放送制御情報を例えば、ＭＰＥＧ２規格におけるＰＥＳ（Packetized Elementary Stream）の形式で多重化してもよいし、ＭＰＥＧ２規格におけるセクションの形式で多重化してもよい。
【０１６０】
送信部１２０６は、データ送出部１０２から入力されたデータ放送データとデータ放送制御信号生成部１２０４から入力されたデータ放送制御情報が多重化された映像及び音声データをそれぞれ別々に第２放送装置に送信する。
なお、別々にではなく、多重化して第２放送装置に送信することとしてもよい。
【０１６１】
上記において、制御情報通知部１０５を制御情報通知部３０５、制御情報通知部７０５及び制御情報通知部９０５の何れかとしてもよい。
本変形例は、本実施の形態１〜５の第１放送装置に代用することができる。
変形例３：図２４は、第１放送装置１３００の構成を示す機能ブロック図である。第１放送装置１３００は、エンコーダ部１０１、データ放送送出部１３０２、放送部１３０３、データ放送制御信号生成部１３０４、制御情報通知部１０５、送信部１３０６から構成される。
【０１６２】
データ送出部１３０２は、データ放送制御信号生成部１３０４を含み、データ放送制御信号生成部１３０４は、制御情報通知部１０５から入力されたデータ放送制御情報をデータ放送データに含め、データ送出部１３０２は、ＤＳＭ−ＣＣデータカルーセル伝送方式に従って、データ放送制御情報を含んだデータ放送データを放送部１３０３に出力する。
【０１６３】
なお、データ放送制御情報は、例えば、ＤＩＩ（Download Info Indication）に（例えば、ＤＩＩのプライベートデータ領域に）記述されることとしてもよい。
又、モジュール形式やリソース形式でDDB(Download Data Block)に記述されることとしてもよい。
【０１６４】
放送部１３０３は、エンコーダ部１０１から入力される映像及び音声データと、データ送出部１３０２から入力されるデータ放送制御情報を含んだデータ放送データとを多重化し、トランスポートストリームとして出力する。
なお、映像及び音声データとデータ放送データを多重化せず、別々に出力することとしてもよい。
【０１６５】
送信部１３０６は、エンコーダ部１０１から入力される映像及び音声データと、データ送出部１３０２から入力されるデータ放送制御情報を含んだデータ放送データとを多重化し、トランスポートストリームとして第２放送装置に送信する。
上記において、制御情報通知部１０５を制御情報通知部３０５、制御情報通知部７０５及び制御情報通知部９０５の何れかとしてもよい。
【０１６６】
本変形例は、本実施の形態１〜５に代用することができる。
変形例４：図２５は、第１放送装置１４００の構成を示す機能ブロック図である。第１放送装置１４００は、エンコーダ部１０１、データ放送送出部１４０２、放送部１４０３、制御情報通知部１０５、送信部１４０６から構成される。
データ送出部１４０２は、データ放送制御信号生成部１４０４を含む。
【０１６７】
データ放送制御信号生成部１４０４は、制御情報通知部１０５から入力されたデータ放送制御情報をデータ放送データに含め、送信部１４０６に出力する。
又、データ送出部１４０２は、ＤＳＭ−ＣＣデータカルーセル伝送方式に従って、データ放送制御情報を含まないデータ放送データを放送部１４０３に出力する。
【０１６８】
なお、データ放送制御情報は、例えば、ＤＩＩ（Download Info Indication）に（例えば、ＤＩＩのプライベートデータ領域に）記述されることとしてもよい。
放送部１４０３は、エンコーダ部１０１から入力される映像及び音声データと、データ送出部１４０２から入力されるデータ放送制御情報を含まないデータ放送データとを多重化し、トランスポートストリームとして出力する。
【０１６９】
なお、映像及び音声データとデータ放送データとを多重化せず、別々に出力することとしてもよい。
送信部１４０６は、エンコーダ部１０１から入力される映像及び音声データと、データ放送制御信号生成部１４０４から入力されるデータ放送制御情報を含んだデータ放送データとを多重化し、トランスポートストリームとして第２放送装置に送信する。
【０１７０】
上記において、制御情報通知部１０５を制御情報通知部３０５、制御情報通知部７０５及び制御情報通知部９０５の何れかとしてもよい。
本変形例は、本実施の形態１〜５に代用することができる。
変形例５：図２６は、第１放送装置１５００の構成を示す機能ブロック図である。第１放送装置１５００は、エンコーダ部１０１、データ放送送出部１３０２、放送部１３０３、制御情報通知部１０５、送信部１５０６から構成される。
【０１７１】
なお、図２５に示された変形例４における第１放送装置１３００と同一の構成要素については同一の符号を付し、以下相違点を中心に説明する。
送信部１５０６は、放送部１３０３から入力されるトランスポートストリームを第２放送装置に送信する。
上記において、制御情報通知部１０５を制御情報通知部３０５、制御情報通知部７０５及び制御情報通知部９０５の何れかとしてもよい。
【０１７２】
本変形例は、本実施の形態１〜５に代用することができる。
変形例６：図２７は、第１放送装置１６００の構成を示す機能ブロック図である。第１放送装置１６００は、エンコーダ部１０１、データ放送送出部１３０２、放送部１３０３、制御情報通知部１０５、送信部１３０６、データ放送制御情報削除部１６０７から構成される。
【０１７３】
なお、図２４に示された変形例３における第１放送装置１３００と同一の構成要素については同一の符号を付し、以下相違点を中心に説明する。
第１放送装置１６００は、第１放送装置１３００の構成要素に加え、データ放送制御情報削除部１６０７を含む。
データ放送制御情報削除部１６０７は、データ放送送出部１３０２から入力されるデータ放送データからデータ放送制御信号を削除し、放送部１３０３に出力する。
【０１７４】
放送部１３０３は、エンコーダ部１０１から入力される映像及び音声データと、データ送出部１３０２から入力されるデータ放送制御情報を削除したデータ放送データとを多重化し、トランスポートストリームとして出力する。
上記において、制御情報通知部１０５を制御情報通知部３０５、制御情報通知部７０５及び制御情報通知部９０５の何れかとしてもよい。
【０１７５】
本変形例は、本実施の形態１〜５に代用することができる。
変形例７：図２８は、第１放送装置１７００の構成を示す機能ブロック図である。第１放送装置１７００は、エンコーダ部１０１、データ放送送出部１３０２、放送部１３０３、制御情報通知部１０５、送信部１５０６、データ放送制御情報削除部１７０７から構成される。
【０１７６】
なお、図２６に示された変形例５における第１放送装置１５００と同一の構成要素については同一の符号を付し、以下相違点を中心に説明する。
第１放送装置１７００は、第１放送装置１５００の構成要素に加え、データ放送制御情報削除部１７０７を含む。
データ放送制御情報削除部１７０７は、放送部１３０３から入力されるデータ放送制御情報を含んだデータ放送データからデータ放送制御信号を削除し、出力する。
【０１７７】
上記において、制御情報通知部１０５を制御情報通知部３０５、制御情報通知部７０５及び制御情報通知部９０５の何れかとしてもよい。
本変形例は、本実施の形態１〜５に代用することができる。
（２）本実施の形態１〜５においては、処理時期の指示を、処理時間帯を示すことにより行ったが、２秒後、３秒後というように処理のタイミングを指示することにより行うこととしてもよい。
【０１７８】
又、処理時期の指示は、処理開始時間を指示することにより行ってもよいし、さらに処理終了時間を指示することとしてもよい。
又、処理時間帯の間、処理をずっと継続するのではなく、指定した回数の処理が終了したら、処理を終了するように指示することとしてもよい。
（３）データ放送制御情報の内容は本実施の形態１〜５における例に限定されない。例えば、第２放送装置に行わせる処理手順を記述したスクリプトをデータ制御情報に含めてもよい。
【０１７９】
これにより、第１放送装置から所定のスクリプトを第２放送装置にデータ制御情報を通じて送信することにより、第２放送装置のデータ処理部に当該スクリプトの示す処理手順（例えば、受信したデータ放送データの送出中止、帯域変更、指定したＰＩＤでのフィルタリングの実行などの処理手順）に従った処理を実行させることができる。
（４）実施の形態１〜５において、第１放送装置からのデータ放送制御情報の送信回数は、１回に限らず複数回であってもよい。
（５）実施の形態１〜５においては、データ放送データ及びデータ放送制御情報の伝送を、トランスポートストリーム伝送形式により行ったが、トランスポートストリーム伝送方式に限らず他の伝送方式を用いて行うこととしてもよい。
【０１８０】
例えば、ディジタル形式の映像信号および音声信号の規格として、ＳＭＰＴＥ（Society of Motion Picture and Television Engineerings ）のＳＭＰＴＥ−２９５Ｍに標準化されているシリアルディジタルインターフェース（ＳＤＩ）方式により伝送することとしてもよい。この場合、データ放送データ及びデータ放送制御情報を、ＳＤＩ方式のビデオ信号のアンシラリデータ領域（映像データ以外の補助的データが挿入される領域）に含めることにより伝送することができる。
【０１８１】
又、データ放送データ及びデータ放送制御情報を、ＩＰ（インタネットプロトコール）による伝送方式により伝送することとしてもよい。
（６）実施の形態２及び５においては、第１放送装置から受信したデータ放送データにリソースを新たに追加して出力することとしたが、第１放送装置からデータ放送データを受信することなく、受信したデータ放送制御情報に基いて、第２放送装置のデータ処理部が図１１又図２２に示すフローチャートに従ってリソース追加処理を実行し、取得したリソースを第２放送装置が送出することとしてもよい。
（７）実施の形態１〜５においては、第２放送装置を対象地域ＩＤで識別することとしたが、各第２放送装置毎に当該装置を識別するための第２放送装置識別ＩＤを付与し、データ放送制御情報に第２放送装置識別ＩＤを含めることとしてもよい。これにより、第２放送装置が複数有る場合には、データ放送制御情報において、各第２放送装置識別ＩＤを指定することにより、各第２放送装置毎に異なる処理の実行を指示することができる。
【０１８２】
又、第２放送装置がデータ放送制御情報によって特定された装置に該当する場合であっても当該データ放送制御情報の示す指示を無視させることも可能である。
（８）実施の形態１においては、モジュール又はリソースを差替処理用モジュール又はリソースと差替えることとしたが、イベントメッセージを差替処理用イベントメッセージと差替えることとしてもよい。この場合、データ放送制御情報は、処理対象リソース名の代わりに、差替えられるべきイベントメッセージを特定するための処理対象イベントメッセージＩＤを含み、リソースデータ記憶部２０４は、処理対象イベントメッセージＩＤと対応付けて差替処理用イベントメッセージを記憶しているものとする。イベントメッセージの差替処理については、図７のフローチャートにおいて、「モジュール」を「イベントメッセージ」に読み替えると、図７に示すモジュール差替処理の動作と同様であるので、説明を省略する。
（産業上の利用可能性）
本発明に係るデータ放送制御システムは、キー局から各地方局に送信されるデータ放送番組の番組編成を変更する装置に適用できる。
【図１】
0003646119.tif 000002
【図２】
0003646119.tif 000003
【図３】
0003646119.tif 000004
【図４】
0003646119.tif 000005
【図５】
0003646119.tif 000006
【図６】
0003646119.tif 000007
【図７】
0003646119.tif 000008
【図８】
0003646119.tif 000009
【図９】
0003646119.tif 000010
【図１０】
0003646119.tif 000011
【図１１】
0003646119.tif 000012
【図１２】
0003646119.tif 000013
【図１３】
0003646119.tif 000014
【図１４】
0003646119.tif 000015
【図１５】
0003646119.tif 000016
【図１６】
0003646119.tif 000017
【図１７】
0003646119.tif 000018
【図１８】
0003646119.tif 000019
【図１９】
0003646119.tif 000020
【図２０】
0003646119.tif 000021
【図２１】
0003646119.tif 000022
【図２２】
0003646119.tif 000023
【図２３】
0003646119.tif 000024
【図２４】
0003646119.tif 000025
【図２５】
0003646119.tif 000026
【図２６】
0003646119.tif 000027
【図２７】
0003646119.tif 000028
【図２８】
0003646119.tif 000029
【図２９】
0003646119.tif 000030
【図３０】
0003646119.tif 000031
【図３１】
0003646119.tif 000032
【図３２】
0003646119.tif 000033
【図３３】
0003646119.tif 000034
【図３４】
0003646119.tif 000035
【図３５】
0003646119.tif 000036
【図３６】
0003646119.tif 000037